(57)【特許請求の範囲】
【請求項１】
質問に対する回答を集計するための回答集計システムであって；
特定の質問に回答する回答者がおこなった回答動作を前記回答者が操作する回答端末が備えるモーションセンサにより検出した検出結果と、前記回答端末を特定する端末コードとを受信する受信部と；
前記受信部で受信した検出結果を受信した時刻によりグループ化するグループ化部と；
前記グループ化部でグループ化されたグループ毎に前記検出結果を前記端末コードに結び付けて保存する結果保存部と；
前記検出結果を第一の方向又は前記第一の方向とは異なる第二の方向に前記回答端末を振る回答動作とに識別する回答動作識別部と；
前記検出結果を集計および分析する識別結果集計分析部と；
前記識別結果集計分析部で集計および分析された集計分析結果を表示する表示部とを備え；
前記識別結果集計分析部は、前記回答動作識別部により識別された前記第一の方向と第二の方向に振る回答動作とを前記端末コードに基づいて前記グループ内で重複しないように集計する回答動作集計部を有し；
前記識別結果集計分析部は、前記回答動作識別部により識別された前記第一の方向及び第二の方向に振る回答動作のうちの少なくとも一方の繰り返しの動作の回数をカウントする動作回数カウント部を有する、
回答集計システム。
【請求項２】
質問に対する回答を集計するための回答集計システムであって；
特定の質問に回答する回答者がおこなった回答動作を前記回答者が操作する回答端末が備えるモーションセンサにより検出した検出結果と、前記回答端末を特定する端末コードとを受信する受信部と；
前記受信部で受信した検出結果を受信した時刻によりグループ化するグループ化部と；
前記グループ化部でグループ化されたグループ毎に前記検出結果を前記端末コードに結び付けて保存する結果保存部と；
前記検出結果を第一の方向又は前記第一の方向とは異なる第二の方向に前記回答端末を振る回答動作とに識別する回答動作識別部と；
前記検出結果を集計および分析する識別結果集計分析部と；
前記識別結果集計分析部で集計および分析された集計分析結果を表示する表示部とを備え；
前記識別結果集計分析部は、前記回答動作識別部により識別された前記第一の方向及び第二の方向に振る回答動作、それぞれの強弱を定量的に判定する強弱判定部を有する、
回答集計システム。
【請求項３】
前記識別結果集計分析部は、前記回答動作識別部により識別された前記第一の方向と第二の方向に振る回答動作とを前記端末コードに基づいて前記グループ内で重複しないように集計する回答動作集計部を有する；
請求項２に記載の回答集計システム。
【請求項４】
前記識別結果集計分析部は、前記回答動作識別部により識別された前記第一の方向及び第二の方向に振る回答動作のうちの少なくとも一方の繰り返しの動作の回数をカウントする動作回数カウント部を有する、
請求項２又は請求項３に記載の回答集計システム。
【請求項５】
前記識別結果集計分析部は、前記回答動作識別部により識別された前記第一の方向及び第二の方向に振る回答動作の軌跡を判定する軌跡判定部を有する、
請求項１乃至請求項４のいずれか１項に記載の回答集計システム。
【請求項６】
前記識別結果集計分析部で集計および分析した集計分析結果から、前記表示部で表示する事項を選択する表示事項選択部を備える、
請求項１乃至請求項５のいずれか１項に記載の回答集計システム。
【請求項７】
質問に対して回答するための回答端末であって；
特定の質問に対して回答者がおこなう回答動作を検出するモーションセンサであって、前記回答動作を第一の方向と、前記第一の方向とは異なる第二の方向とを区別して検出した検出結果として出力するモーションセンサと；
前記回答端末を特定する端末コードを入力する端末コード入力部と；
前記端末コード入力部で入力された端末コードを保存する端末コード保存部と；
前記モーションセンサが検出した検出結果と前記端末コード保存部が保存する端末コードとを結び付けて回答集計システムに送信する送信部とを備え；
前記送信部は、前記モーションセンサが前記回答者による回答動作を検出した時刻から前記送信のタイミングを所定の遅延時間だけずらす送信時刻遅延部を有し；
前記モーションセンサは、前記回答動作の強弱を検出するように構成された、
回答端末。
【請求項８】
前記質問を含む情報を受信する受信部と；
前記質問を含む情報を再生して前記回答者に提示する再生部とをさらに備える；
請求項７に記載の回答端末。
【請求項９】
質問に対して回答するための回答端末であって；
特定の質問に対して回答者がおこなう回答動作を検出するモーションセンサであって、前記回答動作を第一の方向と、前記第一の方向とは異なる第二の方向とを区別して検出した検出結果として出力するモーションセンサと；
前記回答端末を特定する端末コードを入力する端末コード入力部と；
前記端末コード入力部で入力された端末コードを保存する端末コード保存部と；
前記質問を含む情報を受信する受信部と；
前記質問を含む情報を再生して前記回答者に提示する再生部と；
前記再生部により再生される前記質問を含む情報提示の進行時間における時系列において、前記モーションセンサが前記回答者の回答動作を検出した検出時刻を出力するクロックと；
前記モーションセンサが検出した検出結果と前記端末コード保存部が保存する前記端末コードと前記クロックにより出力された検出時刻とを結び付けて回答集計システムに送信する送信部とを備え；
前記モーションセンサは、前記回答動作の強弱を検出するように構成された、
回答端末。
【請求項１０】
質問に対して回答するための回答端末であって；
特定の質問に対して回答者がおこなう回答動作を検出するモーションセンサであって、前記回答動作を第一の方向と、前記第一の方向とは異なる第二の方向とを区別して検出した検出結果として出力するモーションセンサと；
前記回答端末を特定する端末コードを入力する端末コード入力部と；
前記端末コード入力部で入力された端末コードを保存する端末コード保存部と；
前記質問を含む情報を受信する受信部と；
前記受信した質問を含む情報を保存する情報保存部と；
前記情報保存部に保存された質問を含む情報を再生して前記回答者に提示する再生部と；
前記再生部により再生される前記質問を含む情報提示の進行時間における時系列において、前記モーションセンサが前記回答者の回答動作を検出した検出時刻を出力するクロックと；
前記モーションセンサが検出した検出結果と前記クロックにより出力された検出時刻とを結び付けて保存する検出結果保存部と；
前記検出結果保存部に保存された検出結果と検出時刻とを前記端末コード保存部に保存された端末コードと結び付けて回答集計システムに送信する送信部とを備え；
前記モーションセンサは、前記回答動作の強弱を検出するように構成された、
回答端末。
【請求項１１】
回答端末を用いて質問に対して回答する方法であって；
前記回答端末が備える端末コード入力部に前記回答端末を特定する端末コードを入力するステップと；
前記質問に応じて前記回答端末を保持した回答者が前記回答端末を第一の方向又は第一の方向とは異なる第二の方向に振る回答動作をするステップと；
前記回答動作を前記回答端末が備えるモーションセンサであって、前記回答動作を第一の方向と、前記第一の方向とは異なる第二の方向とを区別して検出した検出結果として出力するモーションセンサにより検出するステップと；
前記モーションセンサが検出した検出結果と前記端末コードとを結び付けて前記回答端末が備える送信部により回答集計システムに送信するステップとを備え；
前記送信部により回答集計システムに送信するステップは、前記送信部が有する送信時刻遅延部により前記送信のタイミングを前記モーションセンサが前記回答動作を検出した時刻から所定の遅延時間だけずらすステップを有する；
前記モーションセンサにより検出するステップは、前記回答動作の強弱を検出するように構成された、
質問に対して回答する方法。
【請求項１２】
回答端末を用いて質問に対して回答する方法であって；
前記回答端末が備える端末コード入力部に前記回答端末を特定する端末コードを入力するステップと；
前記端末コード入力部に入力された端末コードを前記回答端末が備える端末コード保存部に保存するステップと；
前記質問を含む情報を前記回答端末が備える受信部により受信するステップと；
前記受信した質問を含む情報を前記回答端末が備える情報保存部に保存するステップと；
前記情報保存部に保存するステップで保存された前記質問を含む情報を前記回答端末が備える再生部により再生して前記回答者に提示するステップと；
前記質問に応じて前記回答端末を保持した回答者が前記回答端末を第一の方向又は前記第一の方向とは異なる第二の方向に振る回答動作をするステップと；
前記回答動作を前記回答端末が備えるモーションセンサであって、前記回答動作を前記第一の方向と、前記第一の方向とは異なる第二の方向とを区別して検出した検出結果として出力するモーションセンサにより検出するステップと；
前記再生部により再生される前記質問を含む情報提示の進行時間における時系列において、前記モーションセンサが前記回答者の回答動作を検出した検出時刻を、前記回答端末が備えるクロックにより出力するステップと；
前記モーションセンサが検出した検出結果と前記クロックにより検出時刻を出力するステップで出力された検出時刻とを結び付けて前記回答端末が備える検出結果保存部により保存するステップと；
前記検出結果保存部により保存するステップで保存された検出結果と検出時刻とを前記端末コード保存部に保存された端末コードと結び付けて前記回答端末が備える送信部により回答集計システムに送信するステップとを備える；
前記モーションセンサにより検出するステップは、前記回答動作の強弱を検出するように構成された、
質問に対して回答する方法。
【発明の詳細な説明】
【技術分野】
【０００１】
本発明は、質問に対して回答するための回答端末並びに回答を集計するための回答集計システムに関し、より詳細には、一の質問者と多数の回答者とが質疑応答をおこなうための回答端末並びに回答集計システムに関する。
【背景技術】
【０００２】
学術発表会、講演会、大学における講義、ビジネス・プレゼンテーション、研修会、会議等のパブリック・スピーキングにおいて、一人の講演者等である質問者が発する質問に対して、多人数の聴講者等である回答者が挙手等により回答する質疑応答の方法が知られている。この場合には、質問者は、想定される回答の類型を予想して回答者に複数の回答のための選択肢を提示するとともに、回答者の回答が質問者が提示する複数の選択肢のうちのいずれの選択肢に該当するかについて多数の回答者に選択肢を一つずつ提示して挙手を求めることで、多数の回答者による回答を得ることができる。一方、より多人数の回答者に対して質問をおこなう場合には、回答数の計数を正確におこなうために、例えば、多数の回答者にカウンタ（またはトータライザ）と呼ばれる回答端末を予め配布して質疑応答をおこなう方法が知られている。カウンタと呼ばれる回答端末には回答の計数のための一の回答ボタンが設けられ、回答者はカウンタに設けられた一の回答ボタンを押すことにより挙手に代えて回答をおこなうことができる。多数の回答者によりおこなわれた回答は回答集計システムにより集計され、回答の集計結果は表示装置等を用いて表示される。このほか、回答のための選択肢の数に対応する回答の計数のための複数の回答ボタンが設けられたカウンタを用いることにより、質問者が回答者に複数の回答ボタンの中から選択肢に対応するいずれか一の回答ボタンを押すことを求める方式の質疑応答の方法も知られている。カウンタ（またはトータライザ）は、この他にも、多人数に対してアンケートをおこなう目的で、演奏会、コンサート、テレビ放送用の討論番組、娯楽番組等の質疑応答においても広く利用されている。
【０００３】
同様に、インターネット等の情報通信回線網を介して、多数の回答者にアンケートをおこなうための装置および方法が知られている（例えば、特許文献１）。特許文献１には、多数の回答者を特定してインターネット等の情報通信回線網を介してアンケートをおこなうことができる回答端末、回答集計システムおよび回答集計方法が開示されている。
【先行技術文献】
【特許文献】
【０００４】
【特許文献１】特許第４３２１９３５号公報  （例えば、請求項１、図４参照）
【発明の概要】
【発明が解決しようとする課題】
【０００５】
しかしながら、回答の集計を正確におこなうために、回答者がカウンタ等の回答端末を用いて回答をおこなう場合には、回答者が把持して操作する回答端末に設けられた複数の回答ボタンの内の一を押すために、回答者が質問者から視線を外して解答ボタンを目視して確認する必要が生じて質疑応答が妨げられてしまうという問題点があった。また、インターネット等の情報通信回線網を介してアンケートをおこなう従来のアンケート方法では、回答者は、質問者から提示された複数の選択肢の内の一の選択肢を回答端末を操作して選択する選択操作を都度おこなう必要があった。さらに回答者は、選択した選択肢を確定して回答として入力するための確定入力操作を都度おこなう必要があるために、従来のアンケート方法は、アンケートの回答者に大きな負担を強いるものであった。本発明はこれらの課題に鑑みてなされたものであり、一の質問者と多数の回答者とが質疑応答をおこなう際に、回答者が複雑な回答端末の操作を強いられることがない回答端末並びに回答集計システムおよび回答端末を用いた質疑応答の方法を提供することを目的とする。
【課題を解決するための手段】
【０００６】
上記の課題を解決するために、本発明の第１の態様に係る回答集計システム１０は、例えば図３に示すように、特定の質問に回答する回答者２（図２参照）がおこなった回答動作を回答者２が操作する回答端末１００（図２参照）が備えるモーションセンサ１０１（図４参照）により検出した検出結果と、回答端末１００を特定する端末コードとを受信する受信部１１と；受信部１１で受信した検出結果を受信した時刻によりグループ化するグループ化部１２と；グループ化部１２でグループ化されたグループ毎に該検出結果を該端末コードに結び付けて保存する結果保存部１５と；該検出結果を第一の方向又は該第一の方向とは異なる第二の方向に該回答端末を振る回答動作とに識別する回答動作識別部１３と；該識別結果を集計および分析する識別結果集計分析部１４と；識別結果集計分析部１４で集計および分析された集計分析結果を表示する表示部１７とを備える。
【０００７】
このように構成することにより、該受信部により、特定の質問に回答する回答者がおこなった回答動作を該回答者が操作する該回答端末が備えるモーションセンサにより検出した検出結果と、該回答端末を特定する端末コードとを受信することができる。このため、該回答集計システムは該検出結果と該端末コードとを受信して該回答者による回答内容と該回答者を特定する情報とを得ることができる。また、該グループ化部により、該受信部で受信した検出結果を、受信した時刻によりグループ化することができる。このため、該回答集計システムは一の質問者がおこなった同一の質問に対する一群の回答をグループ化して回答の集計および分析をおこなうことができる。また、該結果保存部により、該検出結果を該端末コードに結び付けて該グループ化部でグループ化されたグループ毎に保存することができる。このため、該回答集計システムは、一の質問者がおこなった同一の質問に対する一群の回答についてグループ化された状態でまとめて保存することができる。また、該回答動作識別部により、該検出結果を第一の方向又は該第一の方向とは異なる第二の方向に該回答端末を振る回答動作とに識別することができる。このため、該回答集計システムは、該回答者がおこなった回答動作が該回答端末を第一の方向（例えば、上下方向）に振る回答動作（例えば、肯定的な回答を意味する）であったか、または該回答端末を該第二の方向（例えば、水平方向）に振る回答動作（例えば、否定的な回答を意味する）であったかを区別して識別することができる。また、該識別結果集計分析部により、該識別結果を集計および分析することができる。このため、該回答集計システムは、該識別結果を集計および分析して一の質問に対する回答の集計および分析をおこなうことができる。また、該表示部により、該識別結果集計分析部で集計および分析された集計分析結果を表示することができる。このため、該回答集計システムは、該集計分析結果を該表示部により表示して質問者に質問に対する回答の集計および分析結果を提示することができる。
【０００８】
また、本発明の第２の態様に係る回答集計システム１０は、本発明の第１の態様に係る回答集計システム１０において、例えば図３に示すように、識別結果集計分析部１４は、回答動作識別部１３により識別された該第一の方向と第二の方向に振る回答動作とを該端末コードに基づいて該グループ内で重複しないように集計する回答動作集計部１４Ａを有する。
【０００９】
このように構成することにより、該端末コードにより該回答端末を個別に特定して識別することができるので、該識別結果集計分析部が有する該回答動作集計部により、該回答動作識別部により識別された該第一の方向（例えば、上下方向）と第二の方向（例えば、水平方向）に振る回答動作とを該端末コードに基づいて該グループ内で重複しないように集計することができる。このため、該回答集計システムは同一の質問に対して同一の回答者がおこなった重複回答を除外して（例えば、最後の回答のみを正しい解答として）回答の集計をおこなうことができる。また、一の回答者による回答を他の回答者による回答と誤ることなく回答の集計をおこなうことができる。
【００１０】
また、本発明の第３の態様に係る回答集計システム１０は、本発明の第１または第２の態様に係る回答集計システム１０において、例えば図３に示すように、識別結果集計分析部１４は、回答動作識別部１３により識別された該第一の方向及び第二の方向に振る回答動作、それぞれの強弱を定量的に判定する強弱判定部１４Ｂを有する。
【００１１】
このように構成することにより、該識別結果集計分析部が有する該強弱判定部は、該回答動作識別部により識別された該第一の方向（例えば、上下方向）及び第二の方向（例えば、水平方向）に振る回答動作、それぞれの強弱を定量的に判定することができる。このため、該回答集計システムは、一の回答者がおこなった回答動作が他の回答者がおこなった回答動作と比較して強くなされた回答動作であるか、あるいは弱くなされた回答動作であるかを定量的に判定することができる。また、同一の回答者が一の質問に対しておこなった回答動作が他の質問に対しておこなった回答動作と比較して強くなされた回答動作であるか、あるいは弱くなされた回答動作であるかを定量的に判定することができる。
【００１２】
また、本発明の第４の態様に係る回答集計システム１０は、本発明の第２または第３の態様に係る回答集計システム１０において、例えば図３に示すように、識別結果集計分析部１４は、回答動作識別部１３により識別された該第一の方向及び第二の方向に振る回答動作のうちの少なくとも一方の繰り返しの動作の回数をカウントする動作回数カウント部１４Ｃを有する。
【００１３】
このように構成することにより、該識別結果集計分析部が有する該動作回数カウント部は、該回答動作識別部により識別された該第一の方向（例えば、上下方向）及び第二の方向（例えば、水平方向）に振る回答動作のうちの少なくとも一方の繰り返しの動作の回数をカウントすることができる。このため、該回答集計システムは、該回答者がおこなった回答動作に含まれる繰り返しの動作の回数をカウントして把握することができる。例えば、複数の選択肢を提示しておこなう質問に対して何番目の選択肢を選択するかを動作の繰り返しの回数により回答させることができる。
【００１４】
また、本発明の第５の態様に係る回答集計システム１０は、本発明の第１乃至第４の態様のいずれか一の態様に係る回答集計システム１０において、例えば図３に示すように、識別結果集計分析部１４は、回答動作識別部１３により識別された該第一の方向及び第二の方向に振る回答動作の軌跡を判定する軌跡判定部１４Ｄを有する。
【００１５】
このように構成することにより、該識別結果集計分析部が有する該軌跡判定部は、該回答動作識別部により識別された該第一の方向（例えば、上下方向）及び第二の方向（例えば、水平方向）に振る回答動作の軌跡を判定することができる。このため、該回答集計システムは該回答者がおこなう該回答動作の軌跡により、該第一の方向（例えば、上下方向）及び第二の方向（例えば、水平方向）に振る回答動作以外の回答を該回答者にさせることができる。例えば、該回答者からの逆質問があるときは円形の軌跡で振らせることにより、それを知ることができる。このようにすることにより、該回答者から質問者に対して選択肢の選択以外の回答または情報を提示することもでき、さらには質問者と該回答者との間の対話的な質疑応答につなげることも可能となる。
【００１６】
また、本発明の第６の態様に係る回答集計システム１０は、本発明の第１乃至第５の態様のいずれか一の態様に係る回答集計システム１０において、例えば図３に示すように、識別結果集計分析部１４で集計および分析した集計分析結果から、表示部１７で表示する事項を選択する表示事項選択部１６を備える。
【００１７】
このように構成することにより、該表示事項選択部により、該識別結果集計分析部で集計および分析した集計分析結果から、該表示部で表示する事項を選択することができる。このため、該回答集計システムは、該表示部に質問をおこなった一の質問者が場合に応じて参照を必要とする該集計分析結果を選択的に表示して該質問者に提示することができる。例えば、該第一の方向（例えば、上下方向）と該第二の方向（例えば、水平方向）に該回答端末を振る回答動作をおこなった各々の回答者の集計結果、あるいはその一方のみの集計結果、あるいは該第一の方向（例えば、上下方向）または該第二の方向（例えば、水平方向）に該回答端末を振る回答動作以外の軌跡を描く回答動作をおこなった該回答者の端末コード等を選択して表示させることができる。
【００１８】
また、本発明の第７の態様に係る回答端末１００は、例えば図４に示すように、特定の質問に対して回答者２（図２参照）がおこなう回答動作を検出するモーションセンサ１０１であって、該回答動作を第一の方向と、該第一の方向とは異なる第二の方向とを区別して検出した検出結果として出力するモーションセンサ１０１と；回答端末１００を特定する端末コードを入力する端末コード入力部１０２と；端末コード入力部１０２で入力された端末コードを保存する端末コード保存部１０３と；モーションセンサ１０１が検出した検出結果と端末コード保存部１０３が保存する該端末コードとを結び付けて回答集計システム１０に送信する送信部１０４とを備え；送信部１０４は、モーションセンサ１０１が回答者２による回答動作を検出した時刻から該送信のタイミングを所定の遅延時間だけずらす送信時刻遅延部１０４Ａを有する。
【００１９】
このように構成することにより、該モーションセンサにより、該特定の質問に対して該回答者がおこなう回答動作を、第一の方向と、該第一の方向とは異なる第二の方向とを区別して検出した検出結果として出力することができる。このため、該モーションセンサは該回答者がおこなった該回答端末を該第一の方向（例えば、上下方向）に振る回答動作と、該回答端末を該第二の方向（例えば、水平方向）に振る回答動作とに区別して検出することができる。また、該端末コード入力部により、該回答端末を特定する端末コードを入力することができる。このため、該回答端末並びに該回答者を個別に特定して識別することができる該端末コードを該回答端末に付与することができる。該回答端末が、携帯電話のときは、その電話番号を端末コードとして利用することができる。このときは、端末コードは電話会社に入力させることができる。また、該端末コード保存部により、該端末コード入力部で入力された端末コードを保存することができる。このため、該回答端末は該端末コード保存部に保存された該端末コードを随時参照して利用することができる。また、該送信部により、該モーションセンサが検出した検出結果と該端末コード保存部が保存する端末コードとを結び付けて該回答集計システムに送信することができる。このため、該回答集計システムは、該モーションセンサが検出した検出結果と該端末コード保存部が保存する端末コードとを受信して該回答者からの回答内容と該回答者を特定する情報とを得ることができる。また、該送信部が有する該送信時刻遅延部により、該モーションセンサが該回答者による回答動作を検出した時刻から該送信のタイミングを所定の遅延時間だけずらすことができる。このため、該回答者として、例えば、数百人あるいは数千人が参加する講演会等であっても、該回答者が持つ回答端末毎に、又は多数の該回答者を幾つかのグループに分けてグループ毎に遅延時間を異ならせることにより、該送信部と該回答集計システムとの間の情報通信における情報通信渋滞を緩和して好適に情報通信をおこなうことができる。これらの構成により、該回答者は、該回答者と該質問者とが時間と空間とを共有して直接的に質疑応答をおこなう場合に、本発明による該回答端末を用いて好適に質問者がおこなった質問に対する回答をおこなうことができる。
【００２０】
また、本発明の第８の態様に係る回答端末１００は、本発明の第７の態様に係る回答端末１００において、例えば図４に示すように、該質問を含む情報を受信する受信部１０５と；該質問を含む情報を再生して回答者２（図２参照）に提示する再生部１０６とをさらに備える。
【００２１】
このように構成することにより、該受信部により、該質問を含む情報を受信することができる。このため、該回答端末は、放送またはインターネット等の情報通信回線網等を通じて送信される該質問を含む情報を受信して得ることができる。また、該再生部により、該質問を含む情報を再生して該回答者に提示することができる。このため、該回答端末は該受信部により受信した該質問を含む情報を再生して該回答者に提示することができる。これらの構成により、該回答者は、該回答者と該質問者とが時間を共有する一方で、該回答者が該質問者と空間的に遠隔して質疑応答をおこなう場合にも、本発明による該回答端末を用いて好適に該質問者がおこなった質問に対する回答をおこなうことができる。
【００２２】
また、本発明の第９の態様に係る回答端末１００Ａは、例えば図５に示すように、特定の質問に対して回答者２（図２参照）がおこなう回答動作を検出するモーションセンサ１０１であって、該回答動作を第一の方向と、該第一の方向とは異なる第二の方向とを区別して検出した検出結果として出力するモーションセンサ１０１と；回答端末１００Ａを特定する端末コードを入力する端末コード入力部１０２と；端末コード入力部１０２で入力された端末コードを保存する端末コード保存部１０３と；該質問を含む情報を受信する受信部１０５と；該質問を含む情報を再生して回答者２に提示する再生部１０６と；再生部１０６により再生される該質問を含む情報提示の進行時間における時系列において、モーションセンサ１０１が回答者２の回答動作を検出した検出時刻を出力するクロック１０７と；モーションセンサ１０１が検出した検出結果と端末コード保存部１０３が保存する該端末コードとクロック１０７により出力された検出時刻とを結び付けて回答集計システム１０に送信する送信部１０４とを備える。
【００２３】
このように構成することにより、該再生部により再生される該質問を含む情報提示の進行時間における時系列において、該モーションセンサが該回答者の回答動作を検出した検出時刻を該クロックにより出力することができる。このため、該質問者が実時間において該質問を含む情報の提示をおこなった情報提示の進行時間における時系列において、該モーションセンサが該回答者の回答動作を検出した検出時刻を該クロックにより出力して得ることができる。これらの構成により、該回答者と該質問者とが時間的に遠隔して質疑応答をおこなう場合にも、該回答集計システムは、該回答者が回答動作をおこなったタイミングを該質問者が実時間において該質問を含む情報の提示をおこなった情報提示の進行時間に照らしたタイミングにおいて把握することができる。
【００２４】
また、本発明の第１０の態様に係る回答端末１００Ｂは、例えば図６に示すように、特定の質問に対して回答者２（図２参照）がおこなう回答動作を検出するモーションセンサ１０１であって、該回答動作を第一の方向と、該第一の方向とは異なる第二の方向とを区別して検出した検出結果として出力するモーションセンサ１０１と；回答端末１００Ｂを特定する端末コードを入力する端末コード入力部１０２と；端末コード入力部１０２で入力された端末コードを保存する端末コード保存部１０３と；該質問を含む情報を受信する受信部１０５と；該受信した質問を含む情報を保存する情報保存部１０８と；情報保存部１０８に保存された質問を含む情報を再生して回答者２に提示する再生部１０６と；再生部１０６により再生される該質問を含む情報提示の進行時間における時系列において、モーションセンサ１０１が回答者２の回答動作を検出した検出時刻を出力するクロック１０７と；モーションセンサ１０１が検出した検出結果とクロック１０７により出力された検出時刻とを結び付けて保存する検出結果保存部１０９と；検出結果保存部１０９に保存された検出結果と検出時刻とを端末コード保存部１０３に保存された端末コードと結び付けて回答集計システム１０に送信する送信部１０４とを備える。
【００２５】
このように構成することにより、該情報保存部により、該受信した質問を含む情報を保存することができる。このため、該回答者は該情報保存部に保存された質問を含む情報を随時利用することができる。また、該再生部により、該情報保存部に保存された質問を含む情報を再生して該回答者に提示することができる。このため、該回答者は該再生部により該情報保存部に保存された質問を含む情報を随時再生して回答をおこなうことができる。また、該検出結果保存部により、該モーションセンサが検出した検出結果と該クロックにより出力された検出時刻とを結び付けて保存することができる。このため、該回答者および該回答端末は、該検出結果保存部に保存された該モーションセンサにより検出された検出結果と該クロックにより出力された検出時刻との情報を随時利用することができる。また、該送信部により、該検出結果保存部に保存された検出結果と検出時刻とを該端末コード保存部に保存された端末コードと結び付けて該回答集計システムに送信することができる。このため、該回答者および該回答端末は、該送信部により該検出結果と該検出時刻とを該端末コードと結び付けて該回答集計システムに随時送信することができる。これらの構成により、該回答者は、該回答者と該質問者とが時間的に遠隔して質疑応答をおこなう場合にも、該質問を含む情報を随時再生して回答をおこなうことができると共に、該質問者がおこなった質問に対する該回答者による回答の内容を示す情報である該検出結果と該検出時刻と該端末コードとを該回答集計システムに随時送信することができる。また、該回答集計システムは回答の集計および分析をおこなうことができる。
【００２６】
また、本発明の第１１の態様に係る回答端末１００は、本発明の第７乃至第１０の態様のいずれか一の態様に係る回答端末１００乃至回答端末１００Ｂのいずれか一において、モーションセンサ１０１は、該回答動作の強弱を検出するように構成される。
【００２７】
このように構成することにより、該モーションセンサにより、該回答動作の強弱を検出することができる。このため、回答集計システムにおける回答の集計および分析において、該モーションセンサにより検出された該回答者がおこなった回答動作の検出結果より該回答者がおこなった回答動作の強弱を示す量を定量的に把握することができる。このため、該回答者がおこなった回答動作から該回答者による肯定的な回答または否定的な回答の肯定または否定の程度の強弱を把握することができる。
【００２８】
また、本発明の第１２の態様に係る回答端末１００（図１、図２、図４参照）を用いて質問に対して回答する方法は、例えば図７に示すように、回答端末１００が備える端末コード入力部１０２（図４参照）に回答端末１００を特定する端末コードを入力するステップＳＴＰ０１と；該質問に応じて回答端末１００を保持した回答者２が回答端末１００を第一の方向又は該第一の方向とは異なる第二の方向に振る回答動作をするステップＳＴＰ０２と；該回答動作を回答端末１００が備えるモーションセンサ１０１（図４参照）であって、該回答動作を該第一の方向と、該第一の方向とは異なる第二の方向とを区別して検出した検出結果として出力するモーションセンサ１０１により検出するステップＳＴＰ０３と；モーションセンサ１０１が検出した検出結果と該端末コードとを結び付けて回答端末１００が備える送信部１０４（図４参照）により回答集計システム１０（図１、図３参照）に送信するステップＳＴＰ０４とを備え；送信部１０４により回答集計システム１０に送信するステップＳＴＰ０４は、送信部１０４が有する送信時刻遅延部１０４Ａ（図４参照）により該送信のタイミングをモーションセンサ１０１が該回答動作を検出した時刻から所定の遅延時間だけずらすステップＳＴＰ０４Ａを有する。
【００２９】
このように構成することにより、該回答端末が備える該端末コード入力部に該回答端末を特定する端末コードを入力することができる（ＳＴＰ０１）。このため、多数の該回答端末が存在する場合にも混同することがなく個別に該回答端末をひいては該回答者を特定して識別することができる。また、該質問に応じて該回答端末を保持した回答者が該回答端末を第一の方向（例えば、上下方向）又は該第一の方向とは異なる第二の方向（例えば、左右方向（水平方向））に振る回答動作をおこなって回答をおこなうことができる（ＳＴＰ０２）。このため、該回答者は該第一の方向に該回答端末を振る回答動作（例えば、肯定的な回答を意味する）または該第二の方向に該回答端末を振る回答動作（例えば、否定的な回答を意味する）をおこなうことにより質問に対する回答をおこなうことができる。また、該回答動作を該回答端末が備える該モーションセンサであって、該回答動作を第一の方向と、該第一の方向とは異なる第二の方向とを区別して検出した検出結果として出力する該モーションセンサ１０１により検出することができる（ＳＴＰ０３）。このため、該モーションセンサは該回答者がおこなう例えば、上下方向に該回答端末を振る回答動作（例えば、肯定的な回答を意味する）と例えば、左右方向に該回答端末を振る回答動作（例えば、否定的な回答を意味する）とを区別して検出することができる。また、該モーションセンサが検出した検出結果と該端末コードとを結び付けて該回答端末が備える該送信部により該回答集計システムに送信することができる（ＳＴＰ０４）。このため、該回答集計システムは、該回答者による回答内容と該回答者を特定する情報とを得ることができる。また、該送信部により該回答集計システムに送信するステップ（ＳＴＰ０４）は、該送信部が有する該送信時刻遅延部により該送信のタイミングを該モーションセンサが該回答動作を検出した時刻から所定の遅延時間だけずらすことができる（ＳＴＰ０４Ａ）。このため、該回答者として、例えば、数百人あるいは数千人が参加する講演会等であっても、多数の該回答端末による送信のタイミングを分散させて該回答端末と該回答集計システムとの間における情報通信渋滞を緩和することができる。これらの構成により、該回答者は、該回答者と該質問者とが時間と空間とを共有して直接的に質疑応答をおこなう場合に、本発明による該回答端末を用いて好適に該質問者がおこなった質問に対する回答をおこなうことができる。
【００３０】
また、本発明の第１３の態様に係る回答端末１００Ｂ（図６参照）を用いて質問に対して回答する方法は、例えば、図８に示すように、回答端末１００Ｂが備える端末コード入力部１０２（図６参照）に回答端末１００Ｂを特定する端末コードを入力するステップＳＴＰ０１と；端末コード入力部１０２で入力された端末コードを回答端末１００Ｂが備える端末コード保存部１０３（図６参照）に保存するステップＳＴＰ１１と；該質問を含む情報を回答端末１００Ｂが備える受信部１０５（図６参照）により受信するステップＳＴＰ１２と；該受信した質問を含む情報を回答端末１００Ｂが備える情報保存部１０８（図６参照）に保存するステップＳＴＰ１３と；情報保存部１０８に保存するステップＳＴＰ１３で保存された該質問を含む情報を回答端末１００Ｂが備える再生部１０６（図６参照）により再生して回答者２（図２参照）に提示するステップＳＴＰ１４と；該質問に応じて回答端末１００Ｂを保持した回答者２が回答端末１００Ｂを第一の方向又は該第一の方向とは異なる第二の方向に振る回答動作をするステップＳＴＰ０２と；該回答動作を回答端末１００Ｂが備えるモーションセンサ１０１（図６参照）であって、該回答動作を該第一の方向と、該第一の方向とは異なる第二の方向とを区別して検出した検出結果として出力するモーションセンサ１０１により検出するステップＳＴＰ０３と；再生部１０６により再生される該質問を含む情報提示の進行時間における時系列において、モーションセンサ１０１が回答者２の回答動作を検出した検出時刻を、回答端末１００Ｂが備えるクロック１０７（図６参照）により出力するステップＳＴＰ１５と；モーションセンサ１０１が検出した検出結果とクロック１０７により検出時刻を出力するステップＳＴＰ１５で出力された検出時刻とを結び付けて回答端末１００Ｂが備える検出結果保存部１０９（図６参照）により保存するステップＳＴＰ１６と；検出結果保存部１０９により保存するステップＳＴＰ１６で保存された検出結果と検出時刻とを端末コード保存部１０３に保存された端末コードと結び付けて回答端末１００Ｂが備える送信部１０４（図６参照）により回答集計システム１０（図１、図３参照）に送信するステップＳＴＰ０４とを備える。
【００３１】
このように構成することにより、該回答端末が備える該端末コード入力部に該回答端末を特定する端末コードを入力することができる（ＳＴＰ０１）。このため、複数のさらには多数の該回答端末が存在する場合にも混同することがなく個別に該回答端末を特定して識別することができる。また、該端末コード入力部に入力された端末コードを該回答端末が備える該端末コード保存部に保存することができる（ＳＴＰ１１）。このため、該回答端末は該回答端末を個別に識別して特定することができる該端末コード保存部に保存された該端末コードを随時利用することができる。また、該質問を含む情報を該回答端末が備える該受信部により受信することができる（ＳＴＰ１２）。このため、該回答端末は、該質問を含む情報をインターネット等の情報通信回線網を介した情報通信をおこなうことにより得ることができる。また、該受信した質問を含む情報を該回答端末が備える該情報保存部に保存することができる（ＳＴＰ１３）。このため、該回答者は該質問を含む情報を該情報保存部に保存して利用することができる。
【００３２】
また、該情報保存部に保存するステップ（ＳＴＰ１３）で保存された該質問を含む情報を該回答端末が備える該再生部により再生して該回答者に提示することができる（ＳＴＰ１４）。このため、該回答者は、該再生部により該質問を含む情報を随時再生して視聴することができる。また、該質問に応じて該回答端末を保持した回答者が該回答端末を第一の方向又は該第一の方向とは異なる第二の方向に振る回答動作をおこなって回答することができる（ＳＴＰ０２）。このため、該回答者は該第一の方向（例えば、上下方向）に該回答端末を振る回答動作（例えば、肯定的な回答を意味する）または該第二の方向（例えば、水平方向）に該回答端末を振る回答動作（例えば、否定的な回答を意味する）をおこなうことにより質問に対する回答をおこなうことができる。また、該回答動作を該回答端末が備えるモーションセンサであって、該回答動作を該第一の方向と、該第一の方向とは異なる第二の方向とを区別して検出した検出結果として出力する該モーションセンサにより検出することができる（ＳＴＰ０３）。このため、該モーションセンサは該回答者がおこなう該第一の方向（例えば、上下方向）に該回答端末を振る回答動作（例えば、肯定的な回答を意味する）と該第二の方向（例えば、水平方向）に該回答端末を振る回答動作（例えば、否定的な回答を意味する）とを区別して検出することができる。
【００３３】
また、該再生部により再生される該質問を含む情報提示の進行時間における時系列において、該モーションセンサが該回答者の回答動作を検出した検出時刻を、該回答端末が備える該クロックにより出力することができる（ＳＴＰ１５）。このため、該回答者が回答動作をおこなった時刻を該質問者が実時間においておこなった該質問を含む情報の提示の進行時間に合わせて該クロックにより該検出時刻として出力することができる。また、該モーションセンサが検出した検出結果と該クロックにより検出時刻を出力するステップ（ＳＴＰ１５）で出力された検出時刻とを結び付けて該回答端末が備える該検出結果保存部により保存することができる（ＳＴＰ１６）。このため、該回答者は該検出結果保存部により保存された検出結果と検出時刻とを回答集計システムに随時送信することができる。また、該検出結果保存部により保存するステップ（ＳＴＰ１６）で保存された検出結果と検出時刻とを該端末コード保存部に保存された端末コードと結び付けて該回答端末が備える該送信部により該回答集計システムに送信することができる（ＳＴＰ０４）。このため、該回答集計システムは、該回答者による回答内容と該回答者を特定する情報とを得ることができる。
【００３４】
これらの構成により、該回答者は、該回答者と該質問者とが時間的に遠隔して質疑応答をおこなう場合にも、該質問を含む情報を随時再生して質問に対する回答をおこなうことができると共に、該質問者がおこなった質問に対する該回答者による回答の内容を示す情報である該検出結果と該検出時刻と該端末コードとを該回答集計システムに随時送信することができる。また、該回答集計システムは、該回答者が回答動作をおこなったタイミングを該質問者が実時間において該質問を含む情報の提示をおこなった情報提示の進行時間に照らしたタイミングにおいて把握することができる。
【発明の効果】
【００３５】
本発明による回答端末、回答集計システム並びに回答端末を用いて質問に回答する方法によれば、一の質問者と多数の回答者とが質疑応答をおこなう際に、回答者が複雑な回答端末の操作を強いられることがない回答端末並びに回答集計システムおよび質疑応答方法を提供することができる。
【図面の簡単な説明】
【００３６】
【図１】本発明による第１の実施の形態に係る回答集計システムおよび回答端末を用いた一の質問者と多数の回答者との質疑応答の例を示す説明図である。
【図２】本発明による第１の実施の形態に係る回答端末を用いて回答者がおこなう回答の例を示す説明図である。
【図３】本発明による第１の実施の形態に係る回答集計システムの構成を示すブロック図である。
【図４】本発明による第１の実施の形態に係る回答端末の構成を示すブロック図である。
【図５】本発明による第２の実施の形態に係る回答端末の構成を示すブロック図である。
【図６】本発明による第３の実施の形態に係る回答端末の構成を示すブロック図である。
【図７】本発明による第１の実施の形態に係る回答端末を用いて質問に対して回答する方法を示すフローチャートである。
【図８】本発明による第３の実施の形態に係る回答端末を用いて質問に対して回答する方法を示すフローチャートである。
【図９】本発明による第３の実施の形態に係る回答集計システムと回答端末との間でおこなわれる情報通信の例を示す説明図である。
【発明を実施するための形態】
【００３７】
以下、図面を参照して本発明の実施の形態について説明する。なお、各図において互いに同一又は相当する部材には同一あるいは類似の符号を付し、重複した説明は省略する。
【００３８】
図１は、本発明による第１の実施の形態に係る回答集計システム１０および回答端末１００を用いて一の質問者１と複数（多数）の回答者２とが質疑応答をおこなう例を示す説明図である。図１に示す本発明による第１の実施の形態に係る回答集計システム１０および回答端末１００は、例えば、学術発表会、講演会、大学における講義、ビジネス・プレゼンテーション、研修会、会議等のパブリック・スピーキングの場において、多数の回答者２が一の質問者１によりおこなわれた質問に対して回答するために用いることができる。後に詳述するように、本実施の形態に係る回答端末１００は、質問者１がおこなう特定の質問に対して回答をおこなう回答者２が回答端末１００を片手で把持して振っておこなう回答動作を検出するためのモーションセンサ１０１（図４参照）を備えている。回答者２がおこなった回答動作をモーションセンサ１０１が検出すると、モーションセンサ１０１により検出された回答動作の検出結果は、回答端末１００が備える送信部１０４（図４参照）により回答集計システム１０に送信される。この際、検出結果は、個々の回答者２が操作する回答端末１００を個別に特定して識別することができる回答端末１００が備える端末コード保存部１０３（図４参照）が保存する端末コードと結び付けられて回答集計システム１０に送信される。モーションセンサ１０１については、後で詳しく説明する。
【００３９】
図１に示す一の質問者１が操作する本実施の形態に係る回答集計システム１０は、多数の回答者２が操作する多数の回答端末１００から送信された個々の回答者２による回答内容である検出結果と、個々の回答者２（回答端末１００）を個別に特定する端末コードとを回答集計システム１０が備える受信部１１（図３参照）により受信することができるように設けられている。また、回答集計システム１０は、後に詳述する回答集計システム１０が備える回答動作識別部１３（図３参照）により、受信部１１で受信した検出結果に基づいて回答者２がおこなった回答動作を２種類の動作に区別して識別することができるように設けられている。具体的には、回答動作識別部１３は、回答者２がおこなった回答端末１００を第一の方向（例えば、上下方向）に振る回答動作と、回答端末１００を（第一の方向とは異なる）第二の方向（例えば、水平方向）に振る回答動作とを区別して識別することができるように設けられている。また、回答動作識別部１３により識別した識別結果を回答集計システム１０が備える識別結果集計分析部１４（図３参照）により集計および分析することにより集計分析結果として出力することができるように設けられている。また、回答集計システム１０が備える表示部１７（図３参照）により集計分析結果を表示して質問者１に提示することができるように設けられている。
【００４０】
図１に示す本実施の形態に係る回答集計システム１０と回答端末１００とを用いて質疑応答をおこなう一の質問者１と多数の回答者２とは、一の質問者１がおこなう質問に対して多数の回答者２が回答のためにおこなうべき回答動作について、予め取り決めをしておくものとするとよい。例えば、質問者１の質問に対して回答者２が肯定的な回答をおこなう場合の回答動作（例えば、回答端末１００を上下方向に振る動作）および否定的な回答をおこなう場合の回答動作（例えば、回答端末１００を水平方向に振る動作）について具体的な動作を定めるものとするとよい。あるいは回答者２から質問者１に対して反対に質問をおこないたいという要求を質問者１に伝える場合におこなうべき回答動作（例えば、回答端末１００で円を描く回答動作）について具体的な動作を定めるものとしてもよい。あるいは回答者２から質問者１に対して提案したいという要求を質問者１に伝える場合におこなうべき回答動作（例えば、回答端末１００で「８」の文字を描く回答動作）について具体的な動作を定めるものとしてもよい。これらの取り決めは質問者１が質疑応答に先立って回答者２に伝えるものとするとよい。
【００４１】
続いて、図２に本発明による第１の実施の形態に係る回答端末１００を用いて回答者２が質問に対して回答をおこなう例を示す。図２（ａ）は本実施の形態の回答端末１００を用いて質問に対して回答をおこなう方法の概略を示す説明図である。図２（ａ）に示すように、本実施の形態に係る回答端末１００を用いて回答をおこなう前に、先ず、個々の回答者２が操作する回答端末１００を個別に特定して識別することができる端末コードを回答端末１００に入力する（ＳＴＰ０１）。次に、質問者１（図１参照）がおこなった質問に対して回答者２が回答動作をおこなって回答する（ＳＴＰ０２）。次に、回答端末１００が備えるモーションセンサ１０１（図４参照）により回答者２がおこなった回答動作を検出する（ＳＴＰ０３）。次に、回答端末１００が備える送信部（図４参照）によりモーションセンサ１０１が検出した検出結果と回答端末１００を個別に特定して識別することができる回答端末１００が備える端末コード保存部１０３（図４参照）が保存する端末コードとを回答集計システム１０（図１参照）に送信する（ＳＴＰ０４）。なお、回答端末１００として回答者２が所持する、例えば、携帯電話等を用いる場合には、端末コードとしては、例えば、携帯電話の電話番号等を用いるものとしてもよい。
【００４２】
図２（ｂ）は、本実施の形態に係る回答端末１００を第一の方向（例えば、上下方向）に振る回答動作の例を示す説明図である。後に詳述するように、モーションセンサ１０１（図４参照）は第一の方向（例えば、上下方向）と（第一の方向とは異なる）第二の方向（例えば、水平方向）とを区別して回答者２がおこなう回答動作を検出することができるように設けられている。図２（ｂ）に示す例においては、質問者１（図１参照）と回答者２とは、質疑応答の前に、回答者２が質問者１の質問に対して肯定的な回答をおこなう場合には回答端末１００を上下方向に振る回答動作を、否定的な回答をおこなう場合には回答端末１００を水平方向に振る回答動作をおこなうように取り決めを定めている。このため、図２（ｂ）に示す例では、回答者２が質問者１がおこなった質問に対して肯定的な回答をおこなうために回答端末１００を上下方向に振る回答動作をおこなっている例を示している。
【００４３】
図２（ｃ）は、本実施の形態に係る回答端末１００により回答者２が質問者１（図１参照）がおこなった質問に対して数字の「８」の字を描いて回答をおこなう例を示している。後に詳述するように、本実施の形態に係る回答端末１００は回答者２がおこなった回答動作の軌跡を回答端末１００が備えるモーションセンサ１０１（図４参照）により検出することができるように設けられている。また、本実施の形態に係る回答集計システム１０（図１参照）が備える識別結果集計分析部１４（図３参照）が有する軌跡判定部１４Ｄ（図３参照）は、回答者２がおこなった回答動作の軌跡を判定することができるように設けられている。このため、本実施の形態に係る回答端末１００および回答集計システム１０を用いて質疑応答をおこなう場合には、回答者２は回答端末１００を用いて任意の文字を描いて回答をおこなうことができる。
【００４４】
続いて、図３は、本発明による第１の実施の形態に係る回答集計システム１０の構成を示すブロック図である。図３に示す回答集計システム１０が備える受信部１１は上述の回答端末１００（図１、図２参照）により送信されるモーションセンサ１０１（図４参照）により検出された検出結果と端末コードとを受信するための情報通信装置である。本実施の形態に係る回答端末１００が備える送信部１０４（図４参照）と回答集計システム１０が備える受信部１１とは無線通信を用いて相互に情報通信をおこなうことができるように設けられている。回答端末１００と回答集計システム１０とが無線通信により情報通信をおこなうように設けることにより、回答者２（図１、図２参照）は、本実施の形態に係る回答端末１００を片手で把持して振る等の自在な回答動作をおこなうことができ、情報通信用の有線コードが設けられている場合と比べて回答者２がおこなう回答動作を妨げてしまうことがない。一方で、例えば他の実施の形態において、回答端末１００と回答集計システム１０とは情報通信用の有線コードにより接続されて情報通信をおこなうものとしてもよい。この場合には、より簡易な構成により回答端末１００および回答集計システム１０を設けることができると共に、情報通信方式を簡略化することにより情報通信渋滞を緩和することができる。
【００４５】
なお、図３に示す回答集計システム１０と回答端末１００（図１、図２参照）との間における無線情報通信方式は、質疑応答をおこなう回答者２が比較的少人数である場合には、例えば、ＩＥＥＥ規格による近距離無線情報通信規格「ブルートゥース」（Ｂｌｕｅｔｏｏｔｈ）方式により情報通信をおこなうものとしてもよい。あるいは、回答者２が比較的多人数である場合には、ワイドエリアネットワーク（ＷＡＮ）またはローカルエリアネットワーク（ＬＡＮ）等の情報通信回線網を介したＴＣＰ／ＩＰ情報通信方式による無線情報通信をおこなうものとするとよい。なお、無線通信方式は、携帯電話用の無線通信規格の他、既知のあらゆる方式の無線通信規格を用いることができる。
【００４６】
図３に示す回答集計システム１０が備えるグループ化部１２は、受信部１１が受信した検出結果を、受信した時刻によりグループ化することができるように設けられている。質問者１（図１参照）がおこなった同一の質問に対して多数の回答者２（図１、図２参照）がおこなう回答動作は、質問者１の質問の提示をきっかけとして略同時におこなわれるものということができる。また、回答者２がおこなった回答動作を回答端末１００（図１、図２参照）が備えるモーションセンサ１０１（図４参照）が検出した検出結果は、モーションセンサ１０１による回答者２がおこなった回答動作の検出をきっかけとして回答端末１００が備える送信部１０４（図４参照）により略同時に送信されることとなる。また、受信部１１による検出結果の受信も略同時におこなわれることとなる。このため、多数の回答者２から送信された回答（検出結果）を受信部１１が受信した時刻（受信時刻）を基準として（例えば、５秒間の間に受信部１１が受信した回答を）グループ化部１２によりグループ化することは有意義である。グループ化部１２によりグループ化することで、一の質問者１がおこなった同一の質問に対する多数の回答者２がおこなった回答（検出結果および端末コード）を一群の回答（検出結果および端末コード）としてまとめて取り扱うことができる。
【００４７】
図３に示すグループ化部１２は、次のように機能する。質問が例えば賛成か反対かを問う単純なものであれば、質問がされてから最初の回答が寄せられるまでの時間は比較的短い。例えば１秒で最初の回答がされ、１秒から２秒の間に殆どの回答がされ、３秒以内に全ての回答がされるとする。言い換えれば、２秒で全ての回答がされることになる。この場合、１のグループと次のグループとの間隔を２秒以上とすれば、グループを分離することができる。すなわち、ひとかたまりの回答の最初の回答を受信してから最後の回答とみなせるものまでの間隔を見て、それ以上の間隔をあけてグループを分離すればよい。遅れて回答する回答者２（図１、図２参照）の存在を考慮しても、その数倍、例えば２倍乃至５倍とすれば、十分にグループを分離することができる。グループ化は、外部からの入力によりしてもよい。この場合は、例えば質問者１（図１参照）が回答の受付を締め切るボタンをクリックすることにより、グループを分離してもよい。回答者２（例えば講義の聴講者）の数が多いときは、後述のように回答端末１００（図１、図２参照）が備える送信時刻遅延部１０４Ａ（図４参照）を設けるとよいが、その場合はグループ同士の間隔は遅延時間を加味してその分だけ長く定める。
【００４８】
図３に示すグループ化部１２によりグループ化された一群の回答（検出結果および端末コード）は、それぞれの検出結果が個々の回答者２（回答端末１００（図１、図２参照））を個別に特定して識別することができる端末コードと結び付けられた状態でグループ化されてまとめられる。また、一群の回答（検出結果および端末コード）は、このグループ化された状態で、図３に示す回答集計システム１０が備える結果保存部１５にグループ毎に保存されるように設けられている。具体的に例えば、グループ化部１２によりおこなわれるグループ化は、例えば、受信部１１で受信した検出結果と端末コードとに受信時刻を結び付けて結果保存部１５に記録するものとしてもよい。あるいは、受信部１１で受信した検出結果と端末コードと受信時刻とにさらにグループ化部１２が付与する識別番号であるグループ番号を結び付けて結果保存部１５に保存するものとしてもよい。このため、回答集計システム１０は、同一の質問に対する一群の回答を自動的にまとめて結果保存部１５に保存しておくことができる。また、回答集計システム１０は、結果保存部１５に保存された同一の質問に対する一群の回答の情報（検出結果および端末コード）を随時利用して回答の識別、集計および分析をおこなうことができるように設けられている。
【００４９】
図３に示す回答集計システム１０が備える回答動作識別部１３は、回答端末１００（図１、図２参照）が備えるモーションセンサ１０１（図４参照）により検出された検出結果を第一の方向（例えば、上下方向）又は（第一の方向とは異なる）第二の方向（例えば、水平方向）に向けて振る回答動作とに識別することができるように設けられている。後に詳述するように、回答端末１００が備えるモーションセンサ１０１は、直交する複数の検出軸（例えば、３軸）を有する加速度センサにより設けるものとするとよい。このように設けることにより、回答者２（図１、図２参照）が回答端末１００を第一の方向（例えば、上下方向）又は（第一の方向とは異なる）第二の方向（例えば、水平方向）に向けて振る回答動作を好適に検出結果として検出することができる。また、回答動作識別部１３は、回答端末１００が備えるモーションセンサ１０１により検出された検出結果を参照して回答者２がおこなった回答動作を２種類の回答動作に区別して識別することができるように設けられている。具体的には、回答動作識別部１３は、回答者２が回答端末１００を第一の方向（例えば、上下方向）に振る回答動作と、回答者２が回答端末１００を（第一の方向とは異なる）第二の方向（例えば、水平方向）に振る回答動作とを区別して識別することができるように設けられている。
【００５０】
図３に示す回答動作識別部１３は、例えば、加速度センサの検出結果に含まれる重力検出方向を把握することにより、回答者２（図１、図２参照）が回答端末１００（図１、図２参照）を振っておこなった回答動作を区別して識別することができるように設けられている。回答動作識別部１３は、例えば、一の回答者２が回答端末１００を第一の方向（例えば、上下方向）に振っておこなった回答動作を、回答端末１００が振られた第一の方向（例えば、上下方向）と重力検出方向（鉛直方向）との成す角により識別して把握することができる（例えば、４５度以下の角度）。また、他の回答者２が回答端末１００を第二の方向（例えば、水平方向）に振っておこなった回答動作を、回答端末１００が振られた（第一の方向とは異なる）第二の方向（例えば、水平方向）と重力検出方向（鉛直方向）との成す角により識別して把握することができる（例えば、４５度を超える角度）。このように回答動作識別部１３は、回答者２が回答端末１００を振った方向を重力検出方向を基準として区別のための閾値（例えば、鉛直方向に対して４５度の角度）を用いることで区別して識別することができるように設けることができる。
【００５１】
なお、図３に示す回答動作識別部１３は、回答者２（図１、図２参照）が回答動作を開始する直前の回答端末１００（図１、図２参照）が静止した状態において、回答端末１００が備えるモーションセンサ１０１（図４参照）として用いられる加速度センサにより検出される１Ｇまたは逆向きの検出においては−１Ｇの加速度検出方向を重力加速度方向として把握することができる。あるいは、重力加速度検出方向は、回答者２が回答動作を終了した直後の回答端末１００が静止した状態において把握されるものとしてもよい。例えば、３軸加速度センサの場合には、直行する３軸として設けられた３軸の加速度検出軸のうち、検出される重力加速度が最も大きい（１Ｇに近いまたは逆向きの検出においては−１Ｇに近い）検出軸が向く方向が重力加速度方向に最も近い検出軸方向であるものということができる。（この際、他の検出軸が検出する重力加速度は０Ｇに近いものとなり、他の検出軸は概ね重力直角方向（水平方向）に近い方向を向くこととなる。）また、検出される重力加速度が最も大きい検出軸において検出される（１Ｇ未満のまたは逆向きの検出においては−１Ｇ未満の）重力加速度と１Ｇまたは逆向きの検出においては−１Ｇの重力加速度とを比較することにより、該検出される重力加速度が最も大きい検出軸が重力加速度方向に対して有する傾斜角を算出して重力加速度方向との成す角を把握することができる。回答端末１００が備えるモーションセンサ１０１は回答動作の検出と共に回答動作の直前直後の重力加速度を検出するものとするとよい。このようにして重力加速度方向を把握することができる。
【００５２】
また、図３に示す回答動作識別部１３における識別において、回答端末１００（図１、図２参照）を第一の方向（例えば、上下方向）に振る回答動作と回答端末１００を第二の方向（例えば、水平方向）に振る回答動作とが混在して識別される場合には、双方の回答動作を比較してどちらか優勢な方向の回答動作を定めて採用するものとするとよい。例えば、後に詳述する回答集計システム１０が備える識別結果集計分析部１４が有する強弱判定部１４Ｂにより回答動作の強弱を判定して優勢な方向を定めるものとするとよい。あるいは、後に詳述する回答集計システム１０が備える識別結果集計分析部１４が有する動作回数カウント部１４Ｃにより回答動作の繰り返しの回数をカウントして優勢な方向を定めるものとするとよい。このように設けることにより、回答者２がおこなった回答動作を好適に区別して識別することができる。
【００５３】
図３に示す回答動作識別部１３において、回答者２（図１、図２参照）がおこなった回答端末１００（図１、図２参照）を２種類の異なる所定の方向に振る回答動作に区別して識別するように設けられている理由の１つは、質問に対する回答の極性が言語学上、肯定と否定との２つの極性に大別されるからである。また１つの理由は、回答者２が回答端末１００を把持する手元を視覚により確認することなく最も正確におこなうことができる回答動作が、回答端末１００を重力方向（鉛直方向）に沿って振る動作であるからである。また、回答端末１００を片手で把持する回答者２が視覚によることなく比較的正確におこなうことができるまた一つの動作が重力方向（鉛直方向）でない方向に向かって回答端末１００を振る動作であるからである。いずれの場合にも、回答者２は回答端末１００を片手で把持して回答端末１００の重量を支えることにより、視覚によることなく重力方向を正しく認識することができる。視覚によることなく回答者２がおこない得る回答動作の中で、回答者２が重力検出方向を回答端末１００の重量により知覚しておこなう回答動作は、特別に正確でおこない易い回答動作であるものといえる。
【００５４】
同様に、回答者２（図１、図２参照）が視覚により確認することなく重力加速度方向を認識することにより方向を区別しておこなうことができる回答動作であれば、例えば、回答端末１００（図１、図２参照）を回答者２より見た左下方向と右上方向とを結ぶ斜め４５度の方向に（例えば、第一の方向として用いる）に振る回答動作を用いるものとしてもよい。また、回答端末１００を回答者２より見た左上と右下とを結ぶ斜め−４５度の方向（例えば、第二の方向として用いる）に振る回答動作を用いるものとしてもよい。また、例えば、回答者２より見た上下方向を回答者２が回答端末１００を振るべき第一の回答方向とすると共に、回答者２より見た左下方向と右上方向とを結ぶ斜め４５度の方向を回答者２が回答端末１００を振るべき第二の回答方向とするものとしてもよい。あるいは、回答者２より見た水平方向を回答者２が回答端末１００を振るべき第一の回答方向とすると共に、回答者２より見た左上方向と右下方向とを結ぶ斜め−４５度の方向を回答者２が回答端末１００を振るべき第二の回答方向とするものとしてもよい。またその逆の組み合わせも可能である。
【００５５】
なお、回答動作識別部１３により回答者２（図１、図２参照）が第一の方向（例えば、上下方向（重力方向））又は（第一の方向とは異なる）第二の方向（例えば、水平方向（重力直角方向））のいずれに向けて回答端末１００（図１、図２参照）を振ったかについて識別した識別結果は、上述の検出結果と端末コードとに結び付けて結果保存部１５に保存することができる。識別結果を検出結果と端末コードとに結び付けて結果保存部１５に保存することにより、結果保存部１５に保存された識別結果と検出結果と端末コードとを用いて随時識別結果の集計および分析をおこなうことができる。
【００５６】
図３に示す回答集計システム１０が備える識別結果集計分析部１４は、回答動作識別部１３により識別された識別結果を集計および分析することができるように設けられている。回答動作識別部１３により識別された識別結果は上述のように回答者２（図１、図２参照）が回答端末１００（図１、図２参照）を第一の方向（例えば、上下方向または水平方向）に向けて振ったか、あるいは回答端末を（第一の方向と異なる）第二の方向（例えば、水平方向または上下方向）に振ったかを区別して識別した、例えば、２値の結果として出力される。この回答動作識別部１３により出力された、例えば、２値の識別結果は質問に対する回答の極性としての肯定と否定とに対応して回答者２による肯定的な回答と否定的な回答とを意味として質問者１（図１参照）が把握することができる。また、この回答動作識別部１３による、例えば、２値の識別結果を集計することにより、多数の回答者２がおこなった多数の回答の正確な集計結果を得ることができる。一方で、特定の肯定または否定の回答の極性を有する、例えば、２値の識別結果と結び付いた検出結果が有する情報をさらに詳細に分析することにより、特定の肯定または否定の回答の極性を有する、例えば、２値の識別結果と結び付いた検出結果について、後に詳述するように、回答者２がおこなった回答動作をさらに詳細に分析して、さらに詳細な回答動作の意味を理解することもできる。なお、識別結果集計分析部１４により集計および分析された集計分析結果もまた、識別結果と検出結果と端末コードとに結び付けて結果保存部１５に保存することができる。このため、結果保存部１５に保存された集計分析結果、識別結果、検出結果および端末コードの情報を回答集計システム１０において随時利用することができる。
【００５７】
図３に示す回答集計システム１０が備える表示部１７は、識別結果集計分析部１４において集計および分析された集計分析結果を表示することができるように設けられている。質問者１（図１参照）は表示部１７に表示される識別結果集計分析部１４で集計および分析された集計分析結果を参照して多数の回答者２（図１、図２参照）がおこなった回答の全容と詳細とを把握することができる。本実施の形態に係る回答集計システム１０が備える表示部１７は、表示装置として液晶表示画面（不図示）を有して設けられているが、表示部１７はプラズマ表示画面を有するものとして視認性を高めるものとしてもよいし、有機エレクトロルミネッセンス表示画面を有するものとして液晶表示画面では必要なバックライトを廃止してさらなる軽量化をおこなうものとしてもよい。
【００５８】
図３に示す表示部１７による表示は、視覚的表示に限定されず、聴覚的表示であってもよい。例えば、質問者１（図１参照）は音声表示部（不図示）としてのイヤフォンを耳に付けて講義する。視覚的表示とすれば質問者１は一瞬のうちに情報を把握できるという利点がある。また講演会場の騒音に煩わされずに情報を把握できる。音声表示は、例えば「Ｙｅｓの回答５５票」、「Ｎｏの回答４５票」のように、合成音声により集計結果を質問者１に知らせる。音声表示の場合は、質問者１は聴衆（回答者２（図１、図２参照））から目を離さずに、講義をし、又質問を発することができる。
【００５９】
図３に示す識別結果集計分析部１４は、回答動作識別部１３により識別された回答者２（図１、図２参照）が回答端末１００（図１、図２参照）を第一の方向（例えば、上下方向）と第二の方向（例えば、水平方向）とに振る回答動作を端末コードに基づいてグループ化部１２によりグループ化されたグループ内で重複しないように集計する回答動作集計部１４Ａを有するように設けられている。回答者２は、質問者１（図１参照）がおこなった同一の質問に対して、一度回答動作をおこなった後に意見が変わったことに起因して、あるいは回答動作を間違えたことに起因して、訂正のために回答の極性の異なる回答動作を複数回に亘っておこなう場合がある。あるいは、回答者２は、回答動作が不十分であったと思われるために、回答動作が正しく回答集計システム１０に識別されないことを懸念して、質問者１がおこなった同一の質問に対して同一の回答の極性を有する回答動作を繰り返しおこなう場合もある。このような場合にも、より正確にグループ化部１２によりグループ化された同一の質問についての回答の集計をおこなうことができるように、識別結果集計分析部１４が有する回答動作集計部１４Ａはグループ内で同一の端末コードが重複する回答が複数存在しないように、回答の集計をおこなうことができるように設けられている。回答動作集計部１４Ａによる集計において重複回答を除外するためには、端末コードにより個別に特定される同一の回答端末１００により送信された回答動作（識別結果、検出結果、端末コード）が複数存在する場合に、例えば、受信部１１が最後に受信した回答動作（識別結果、検出結果、端末コード）のみを集計するように設けることができる。回答動作集計部１４Ａは重複回答を含まない正確な回答の集計結果を集計分析結果として出力することができる。このため、回答集計システム１０は同一の回答者２による重複回答を除外して正確に回答の集計をおこなうことができる。また、例えば賛成と回答する場合、賛成の方向に回答端末１００を一度振れば済むにも拘らず、回答者２によっては大賛成の意を表わそうとして、賛成の方向に回答端末１００を比較的強く一度振る場合のほか、賛成の方向に回答端末１００を強く何度も振る回答者２も存在し得る。そのような場合にも、以上のように構成することにより、同一の回答者２による重複した回答の集計を排除することができる。
【００６０】
また、図３に示す識別結果集計分析部１４は、回答動作識別部１３により識別された回答者２（図１、図２参照）が回答端末１００（図１、図２参照）を第一の方向（例えば、上下方向）及び第二の方向（例えば、水平方向）に振る回答動作のそれぞれの強弱を定量的に判定することができる強弱判定部１４Ｂを有するように設けられている。識別結果集計分析部分１４が有する強弱判定部１４Ｂは、特定の肯定または否定の回答の極性を有する、例えば、２値の識別結果と結び付いた検出結果を分析することにより、識別結果の肯定または否定の強弱の程度を定量的に把握することができるように設けられている。例えば、強弱判定部１４Ｂは、例えば、２値の識別結果と結び付いた検出結果が有する加速度、速度、変位等の回答者２がおこなった回答動作の運動を定量的に示す物理量の情報を分析することにより、それらを肯定または否定の回答の極性を有する、例えば、２値の特定の識別結果の強弱を示す量として定量的に判定することができるように設けることができる。このため、回答動作識別部１３により同一の肯定または否定の回答の極性を有する、例えば、２値の識別結果として識別された一の回答者２がおこなった回答動作の検出結果と、他の回答者２がおこなった回答動作の検出結果とを強弱判定部１４Ｂにより定量的に比較することにより、例えば、一の回答者２の方が、他の回答者２よりも質問者１（図１参照）がおこなった質問に対して比較的強く肯定する回答をおこなったものと分析する集計分析結果を出力することができる。このため、強弱判定部１４Ｂは、質問者１がおこなった特定の質問に対して多数の回答者２が回答した回答動作の内で、例えば、最も強く肯定する回答動作をおこなった回答者２の順に、上位１０名の回答者２を端末コードを特定して抽出することができると共に、最も強く否定する回答動作をおこなった回答者２の順に、上位１０名の回答者２を端末コードを特定して抽出することができる。
【００６１】
また、図３に示す強弱判定部１４Ｂと識別結果集計分析部１４の機能を利用した、効果的な重複回答の排除が可能である。強弱判定部１４Ｂを備えるので、同一の回答者２（図１、図２参照）による回答が複数受信されたときは、回答動作の強弱を判定した上で、最も強く振られた回答動作を採用するように識別結果集計分析部１４を構成してもよい。このように構成すると、回答するつもりではなくうっかり振ってしまった場合を排除することができる。うっかりの場合には、動作は比較的弱いのが普通だからである。また意見が変わったことに起因して、あるいは間違えたことに起因して、回答動作を訂正のために再度行うに場合には回答端末１００を比較的強く振るのが回答者２の心理である。したがって、最も強い回答動作を採用することによって、同一の回答者２による重複回答を除外して回答の集計をおこなうことができる。
【００６２】
また、図３に示す識別結果集計分析部１４は、回答動作識別部１３により識別された回答者２（図１、図２参照）が回答端末１００（図１、図２参照）を第一の方向（例えば、上下方向）及び第二の方向（例えば、水平方向）に振る回答動作のうちの少なくとも一方の回答動作の繰り返しの回数をカウントする動作回数カウント部１４Ｃを有するように設けられている。動作回数カウント部１４Ｃは、回答動作識別部１３により識別された特定の肯定または否定の回答の極性を有する、例えば、２値の識別結果と結び付いた検出結果を分析することにより、回答者２が連続しておこなった回答動作の内の繰り返しの動作の回数をカウントすることができるように設けられている。例えば、動作回数カウント部１４Ｃは、識別結果と結び付いた検出結果が有する加速度、速度、変位等の回答者２が連続しておこなった回答動作の運動を定量的に示す物理量の情報を分析して把握することにより、回答者２が連続して繰り返しておこなった動作を含む回答動作において、速度が０（ゼロ）になる点（出発点および折り返し点）を抽出してその数をカウントすることができるように設けられている。回答者２が同一の所定の方向に向けて連続して繰り返し回答端末１００を振る回答動作をおこなう場合には、抽出されてカウントされた速度が０（ゼロ）になる点（出発点および折り返し点）の数の半分の数が回答者２が回答端末１００を連続して繰り返して振った回数であるものということができる。
【００６３】
あるいは、回答端末１００を振る回数が回答となる場合は、上下方向に振る際には強く振りおろして直ちに上に戻す動作をするのが回答者２（図１、図２参照）の心理である。このときは、回答者２から見て下死点における上向きの加速度が最も大きくなる。それを検出して、１回とカウントしてもよい。前記の重複回答なのか、カウントすべき繰り返し動作なのかを後で判別するために、一旦は回答者２がおこなった繰り返し動作を全て保存するものとしてもよい。そのときは、質問者１（図１参照）が質問の性質を考慮して、例えば「Ｙｅｓ」または「Ｎｏ」の回答を求める質問に対する回答動作であるか、繰り返しの動作の回数を示すための回答動作かを、選択可能な指定ボタン（不図示）をクリックして、又は後述の表示事項選択部１６を利用して、定めればよい。
【００６４】
なお、例えば、回答端末１００（図１、図２参照）が備えるモーションセンサ１０１（図４参照）が加速度センサである場合には、動作回数カウント部１４Ｃは、モーションセンサ１０１により検出された加速度の情報を、該加速度センサのサンプリング周波数に基づいて求められる時間により１階積分することで対応する速度の情報を得ることができる。あるいは、モーションセンサ１０１が速度センサである場合には、速度センサが検出する速度情報をそのまま用いるものとすればよい。また、回答者２（図１、図２参照）がおこなった回答動作が連続した回答動作であるか、あるいは不連続の回答動作であるかについては、分析により得られた回答動作の速度が０（ゼロ）となる時間がどの程度の時間の間、継続するかを基準として判断をおこなうための適切な閾値（例えば、１秒間）を設けることにより区別をおこなうことができる。
【００６５】
この場合には、例えば、１秒以上、回答動作の速度が０（ゼロ）の時間が継続した場合には、不連続な回答動作であるものと判断し、あるいは、回答動作の速度が０（ゼロ）の時間が１秒未満である場合には、連続した一連の回答動作であるものと判断することができる。動作回数カウント部１４Ｃによりカウントされた回答動作の繰り返しの回数は、質問者１（図１参照）と回答者２（図１、図２参照）との間において肯定的または否定的な回答と共に回答者２により回答される、例えば、回答の理由を示す任意の数字として用いることができる。例えば、肯定または否定の極性を有する回答に加えて、回答者２が回答の理由を選択するために質問者１により用意された５つの回答の理由を示す選択肢の番号の内から３番目の選択肢を回答者２が選択するものとして、繰り返しの回答動作に含まれる数字を用いることができる。この場合には、例えば、回答者２は回答端末１００（図１、図２参照）を肯定または否定の回答の極性を有する方向（例えば、上下方向または水平方向）に３回繰り返して振ればよい。動作回数カウント部１４Ｃが分析してカウントした回答動作の繰り返しの回数は集計分析結果として出力される。
【００６６】
また、図３に示す識別結果集計分析部１４は、回答動作識別部１３により識別された回答者２（図１、図２参照）が回答端末１００（図１、図２参照）を第一の方向（例えば、上下方向）及び第二の方向（例えば、水平方向）に振る回答動作の軌跡を判定する軌跡判定部１４Ｄを有するように設けられている。軌跡判定部１４Ｄは、回答者２がおこなった肯定または否定の極性を有する、回答端末１００を第一の方向（例えば、上下方向）または第二の方向（例えば、水平方向）に振る回答動作に連続して、回答者２がおこなった回答端末１００を用いて任意の文字や図形（例えば、図２（ｃ）に示す数字の「８」の字）を描く回答動作の検出結果の軌跡を分析すると共に、回答端末１００を用いて描かれた文字を判定して把握することができるように設けられている。
【００６７】
回答端末１００（図１、図２参照）が備えるモーションセンサ１０１（図４参照）が、例えば、加速度センサ、速度センサまたは位置センサとして設けられている場合には、それぞれのセンサの加速度、速度または位置についての情報の検出結果から回答端末１００の位置を把握することができると共に、回答端末１００の移動の軌跡を把握することができる。例えば、加速度センサが検出した加速度の情報からは、該加速度センサのサンプリング周波数に基づいて求められる時間により２階積分をおこなうことで回答端末１００の位置の情報を得ることができる。同様に、速度センサが検出した速度の情報からは、該速度センサのサンプリング周波数に基づいて求められる時間により１階積分をおこなうことで回答端末１００の位置の情報を得ることができる。一方、動作判定部１４Ｄによる回答者２（図１、図２参照）が回答端末１００を用いて描いた任意の文字または図形等の軌跡の判定は、例えば、光学文字認識（ＯＣＲ（ＯｐｔｉｃａｌＣｈａｒａｃｔｅｒ Ｒｅｃｏｇｎｉｔｉｏｎ））を用いておこなうことができる。このため、回答者２は、肯定または否定の極性を有する回答に加えて、回答者２が回答端末１００を用いて描く任意の文字列または図形により表わされる文章等の軌跡の情報を質問者１（図１参照）に回答内容として提示することができる。
【００６８】
このように、図３に示す軌跡判定部１４Ｄを用いて回答者２（図１、図２参照）がおこなった回答動作の軌跡を判定して回答者２が回答端末１００（図１、図２参照）を用いて描いた文字や図形等を光学文字認識（ＯＣＲ）で判定するように設けることにより、例えば、回答者２が質問者１（図１参照）に対して反対におこなう質問や提案などの多様な要求を回答者２から質問者１に対して伝達することができる。このため、本実施の形態の回答端末１００および回答集計システム１０を用いて質疑応答をおこなう場合には、回答者２は質問者１が提示する回答のための選択肢を選択することによりおこなわれる回答の提示のみに限られず、回答者２から質問者１に対して反対に質疑応答をおこなうことができることとなる。このため、本実施の形態によれば、質問者１と回答者２とがより対話的に質疑応答をおこなうことができることとなる。なお、軌跡判定部１４Ｄが判定して得た回答者２が回答端末１００により描いた回答動作の軌跡の情報は集計分析結果として出力される。
【００６９】
また、図３に示す回答集計システム１０は、識別結果集計分析部１４で集計および分析した集計分析結果から、表示部１７で表示する表示事項を選択する表示事項選択部１６を備える。このため、表示事項選択部１６により、識別結果集計分析部１４で集計および分析された集計分析結果から、表示部１７で表示すべき表示事項を選択して表示させることができる。このため、回答集計システム１０は、表示部１７に質問者１（図１参照）が場合に応じて必要とする上述の識別結果集計分析部１４、回答動作集計部１４Ａ、強弱判定部１４Ｂ、動作回答カウント部１４Ｃ、軌跡判定部１４Ｄのそれぞれが出力する集計分析結果を選択的に表示して質問者１に提示することができる。例えば、質問者１は、回答者２（図１、図２参照）がおこなった肯定的な回答（例えば、上下方向に回答端末１００（図１、図２参照）を振っておこなった回答動作）を集計した数のみを表示部１７に表示させることができる。あるいは、質問者１は、回答端末１００を円形に振る（回答者２が質問者１に対して逆質問を要求するためにおこなう）回答動作をおこなった回答者２の端末コードのみを表示部１７に表示させて、回答者２を指名して逆質問をさせることができる。または、質問者１は、回答端末１００で数字の「８」の字を描く（回答者２が質問者１に対して提案を要求するためにおこなう）回答動作をおこなった回答者２の端末コードのみを表示部１７に表示させて、回答者２を指名して提案をさせることができる。
【００７０】
図３に示す本実施の形態の回答集計システム１０と回答端末１００（図４参照）とを用いることにより、質問者１（図１参照）と回答者２（図１、図２参照）とは、従来の質疑応答においておこなわれていた散発的で一方的な質疑応答の方法に限られることなく、回答者２からも情報を発信することができる継続的で対話的な質疑応答をおこなうことができる。例えば、質問者１（図１参照）としての講演会の講演者は、回答者２（図１、図２参照）としての講演会の受講者に対して、「講演会の内容に満足していますか？」というより全般的な質問をおこなうことができる。この場合には、講演者は、回答のための取り決めを「“それは面白い”または“とても良いことを聞いた”と思った時に回答端末１００を上下方向に振ってください。」（肯定的な回答をおこなう場合の回答動作の指示）として定めて受講者に伝えることができる。また、「“言っていることが分からない”、“つまらない”、“疑問がある”等と思った時に回答端末１００を左右方向に振ってください。」（否定的な回答をおこなう場合の回答動作の指示）として取り決めを定めることができる。
【００７１】
この場合には、図３に示す本実施の形態の回答集計システム１０と回答端末１００（図４参照）とを用いることにより、質問者１（図１参照）としての講演者は、回答者２（図１、図２参照）としての受講者が現在の講演内容を肯定的に評価しているか、あるいは否定的に評価しているかを随時把握することができる。このため、例えば、講演者は、多くの受講者が否定的な回答をおこなったことを把握した場合には、随時、より分かり易く説明を補足したり、あるいは話題を変えたりすることができる。一方、受講者は、他の受講者に知られることなく、随時、より分かり易く説明して欲しいこと、あるいは話題を変えてほしいことを講演者に伝えることができる。このように、本実施の形態の回答集計システム１０および回答端末１００は、学術発表会、大学における講義、ビジネス・プレゼンテーション、研修会、演奏会、コンサート等における質問者１と回答者２との間を結ぶ対話的なコミュニケーション・ツールとしても好適に用いることができる。
【００７２】
また、図３に示す回答集計システム１０には、受信部１１、グループ化部１２、回答動作識別部１３、識別結果集計分析部１４、表示事項選択部１６、表示部１７における情報処理を補助するための短期記憶装置であるランダムアクセスメモリ１８がそれぞれに設けられていると共に、回答集計システム１０における情報処理を統合して制御するための中央演算装置１９がさらに設けられている。これらの構成により、回答集計システム１０は回答者２（図１、図２参照）が操作する回答端末１００（図１、図２参照）から送信される回答端末１００が備えるモーションセンサ１０１（図４参照）により回答者２がおこなった回答動作を検出した検出結果および回答端末１００が備える端末コード保存部１０３（図４参照）が保存する端末コードを受信部１１により受信して、グループ化部１２により質問者１（図１参照）がおこなった同一の質問に対する一群の回答内容である検出結果および端末コードをグループ化し、回答動作識別部１３により検出結果を識別して肯定または否定の回答の極性を有する識別結果を出力し、識別結果集計分析部１４により識別結果を集計および分析して集計分析結果を出力し、表示事項選択部１６により質問者１が必要に応じて選択する表示すべき集計分析結果を選択し、表示部１７により選択した集計分析結果を表示することができる。
【００７３】
続いて図４は、本発明による第１の実施の形態に係る回答端末１００の構成を示すブロック図である。
図４に示す回答端末１００は、質問者１（図１参照）がおこなう特定の質問に対して回答者２（図１、図２参照）がおこなう回答動作を検出するモーションセンサ１０１（図４参照）であって、回答動作を第一の方向（例えば、上下方向または水平方向）と、（第一の方向とは異なる）第二の方向（例えば、水平方向または上下方向）とを区別して検出した検出結果として出力するモーションセンサ１０１を備える。モーションセンサ１０１は典型的には地球の重力方向も合わせて検出することができる加速度センサにより設けることができる。例えば、半導体パッケージに樹脂封止された静電容量型のカルテシアン座標系における３軸３自由度の加速度を検出することができる加速度センサをモーションセンサ１０１として用いることができる。モーションセンサ１０１としてさらに多くの自由度（チャンネル）において加速度および角加速度を検出することができるカルテシアン座標系における３軸６自由度の加速度センサ兼角加速度センサを用いるものとしてもよい。モーションセンサ１０１は、回答者２が片手で把持して操作することができる大きさおよび重量に設けられた回答端末１００に固定して設けるものとすればよい。
【００７４】
ここで、図４に示すモーションセンサ１０１は、少なくとも２方向の、第一の方向としての上下方向（鉛直方向（重力加速度方向））と第二の方向としての左右方向（水平方向のうちｘ方向）とを検出することができるものとすればよい。すなわち検出軸を２方向に有する２軸（２次元）のセンサにより検出するものとすればよい。上述のように重力加速度の方向を検出し、それを第一の方向と第二の方向を区別するための基準とすることができる。３軸（３次元）のセンサを用いるものとして、第三の方向である前後方向（水平面内で左右方向に直行する方向）を検出できるものとしてもよい。このようにすると、さらに回答動作の種類を増やすことができ、回答端末１００を振るという簡単な動作によって複雑な意思表示が可能となる。
【００７５】
上述の通り、図４に示す回答端末１００を片手で把持して回答動作をおこなう回答者２（図１、図２参照）が視覚によることなくおこなうことができる、言語学上の肯定または否定の回答の極性を有する、最も正確な回答動作は回答端末１００を重力加速度方向に振る回答動作であり、また、重力加速度方向とは異なる方向に回答端末１００を振る回答動作である。モーションセンサ１０１は典型的には回答者２が最も正確におこなうことができるこれら２種類の回答動作を区別して検出することができる。また、モーションセンサ１０１は回答者２が回答動作をおこなう地上の空間の重力加速度方向を検出することができるように設けるものとするとよい。モーションセンサ１０１は速度センサまたは位置センサを用いて回答者２がおこなう回答動作を検出することができるように設けるものとしてもよい。この場合には、速度センサまたは位置センサを用いて回答者２がおこなった回答動作を検出した検出結果と共に、該速度センサまたは位置センサが回答者２から見てどちらの方向を重力加速度方向として回答者２がおこなった回答動作を検出したかを示す重力方向表示情報を検出結果に包含されるように出力するものとすればよい。
【００７６】
また、図４に示す本実施の形態に係る回答端末１００が備えるモーションセンサ１０１は、回答者２（図１、図２参照）がおこなった回答動作の強弱を検出することができるように設けられている。例えば、モーションセンサ１０１は、モーションセンサ１０１が検出する回答者２がおこなった回答動作の検出結果に、加速度、速度、変位等の回答者２がおこなった回答動作の運動を定量的に示す物理量の情報を含めて出力するように構成されている。このため、上述の通り、回答集計システム１０（図３参照）が備える識別結果集計分析部１４（図３参照）が有する強弱判定部１４Ｂ（図３参照）によりモーションセンサ１０１による検出結果を定量的に分析および判定することにより、一の回答者２がおこなった回答動作と他の回答者２がおこなった回答動作とを定量的に比較して回答動作の強弱を判定することができる。
【００７７】
また、図４に示す回答端末１００が備える端末コード入力部１０２は回答端末１００を個別に特定して識別することができる端末コードを回答端末１００に入力することができるように設けられている。端末コードは多数の回答者２（図１、図２参照）を個別に特定して識別するために、多数の回答者２に重複することのないように付与される記号等も含み得る文字列として設けることができる。また、一の質問者１（図１参照）が回答集計システム１０（図１、図３参照）の表示部１７（図３参照）に表示される多数の回答者２を個別に識別する端末コードを判読して認識するために、質問者１にとって判読しやすい統一された規則により設けられた端末コードを回答端末１００に入力しておくものとするとよい。例えば、学術発表会、講演会、ビジネス・プレゼンテーション、研修会等の入場者整理番号、大学における講義の出席を確認するための学生番号等を端末コードとして用いるものとするとよい。あるいは、インターネット等の情報通信回線網を介して不特定多数の回答者２に対しておこなわれるアンケートにおいては、統一された発行規則により多数の回答者２に対して個別に順次発行される回答者整理番号等を端末コードとして用いるものとするとよい。
【００７８】
図４に示す回答端末１００が備える端末コード入力部１０２は、ハードウエア・キーボードまたはソフトウエア・キーボード等の入力インターフェースを有するものとしてもよいし、あるいはバーコードリーダや光学撮像装置（カメラ）を用いたＱＲコードリーダを有するものとしてもよい。あるいは、回答者２（図１、図２参照）が端末コード入力部１０２を操作して赤外線通信、無線通信またはインターネット等の情報通信回線網を介した情報通信をおこなうことにより回答集計システム１０（図１、図３参照）から端末コードをダウンロードして得るものとしてもよい。この場合には、回答集計システム１０は端末コードを回答者２が操作する端末コード入力部１０２に送信する端末コード送信部（不図示）を備えると共に、端末コード入力部１０２は端末コードを回答集計システム１０が備える端末コード送信部からダウンロードして受信する端末コード受信部（不図示）を有するものとしてもよい。このように設けることにより、回答者２は、端末コード入力部１０２を介して回答端末１００を個別に特定して識別することができる端末コードをより容易に入力することができる。上述のように、携帯電話を回答端末１００として利用する場合は、その電話番号を端末コードとすれば、あらためて端末コードを割り振る手間が省ける利点がある。
【００７９】
図４に示す端末コード入力部１０２を通じて端末コードを入力する具体的な一例を挙げれば、学術発表会の聴講者である回答者２（図１、図２参照）は、端末コード入力部１０２が有するソフトウエア・キーボード（不図示）を通じて、回答者２が持参した回答端末１００に、回答者２が参加する学術発表会の入場者整理ために発行される入場整理番号を端末コードとして入力することができる。あるいは他の一例においては、学術発表会の発表者である質問者１（図１参照）が用意した多数の回答端末１００に質問者１が識別しやすい端末コードを端末コード入力部１０２が有するバーコードリーダ（不図示）を通じて予め入力し、質問者１が端末コードを入力した多数の回答端末１００を多数の学術発表会の聴講者である回答者２に配布して貸与するものとしてもよい。
【００８０】
図４に示す回答端末１００が備える端末コード保存部１０３は、端末コード入力部１０２を通じて入力された回答端末１００を個別に特定して識別することができる端末コードを保存しておくことができる。また、端末コード保存部１０３は、図４に示す送信部１０４による要求に応じて端末コード保存部１０３が保存する端末コードの情報を送信部１０４に提供することができるように設けられている。端末コード保存部１０３は、典型的には小型の短期情報記憶装置であり、例えば、リードオンリーメモリ（ＲＯＭ）またはランダムアクセスメモリ（ＲＡＭ）等により設けるものとするとよい。
【００８１】
また、図４に示す回答端末１００が備える送信部１０４は、モーションセンサ１０１が検出した回答者２（図１、図２参照）がおこなった回答動作の検出結果と端末コード保存部１０３が保存する端末コードとを結び付けて回答集計システム１０（図１、図３参照）に送信する送信装置である。例えば、送信部１０４はモーションセンサ１０１が検出した回答者２がおこなった回答動作の検出結果と端末コード保存部１０３が保存する端末コードとを結び付けて一の送信ファイルを作成し、作成した一の送信ファイルを回答集計システム１０が備える受信部１１（図３参照）に送信するように構成するものとしてもよい。
【００８２】
また、図４に示す送信部１０４が有する送信時刻遅延部１０４Ａは、モーションセンサ１０１が回答者２（図１、図２参照）がおこなった回答動作を検出した時刻から送信のタイミングを所定の遅延時間だけずらすように設けられている。このため、例えば、端末コード保存部１０３が保存する端末コードに応じて多数の回答端末１００にそれぞれ異なる遅延時間を設け、送信部１０４と回答集計システム１０（図１、図３参照）が備える受信部１１（図３参照）との間の情報通信渋滞を緩和するものとしてもよい。本実施の形態に係る回答端末１００が用いられる一の質問者１（図１参照）と多数の回答者２との間の質疑応答においては、一の質問者１により質問がおこなわれるのと略同時に多数の回答者２が一斉に回答端末１００を用いて回答をおこなうこととなる。本実施の形態に係る回答端末１００は、極めて多数の回答者２が参加する、例えば、数千人規模の回答者２が参加する演奏会、コンサート等における質疑応答においても用いることができるが、このような場合には、例えば、演奏会、コンサート会場等の情報通信回線網や回答集計システム１０に極めて深刻な情報通信渋滞が生じることとなる。このため、質問者１と回答者２との間の質疑応答にも支障が生じることとなる。
【００８３】
図４に示す送信部１０４が有する送信時刻遅延部１０４Ａは、例えば、多数の回答端末１００が備える送信部１０４が略同時に送信をおこなおうとする場合にも、端末コードの情報に応じて全ての回答端末１００毎に異なる所定の遅延時間を設けて順次送信をおこなうことができるように設けられている。例えば、端末コードは全ての回答端末１００を個別に特定して識別することができるように異なる情報の内容を有するように設けられるものであるから、送信時刻遅延部１０４Ａにより端末コードの情報の内容に応じた同一の算定基準に基づいて算定される遅延時間を決定することにより、全ての回答端末１００について異なる遅延時間を設けることができる。例えば、端末コードが英文文字列により構成されている場合には、アルファベットをその並び順により１から２６までの数字に変換すると共に、変換した数字を総計することで全ての回答者２に異なる遅延時間を付与するために用いることができる数字を得ることができる。この数字に一の回答端末１００に対して与えることができる送信のための時間（例えば、０．２秒）を掛けることにより遅延時間を算定するものとしてもよい。遅延時間の算定基準は予め回答集計システム１０（図１、図３参照）の処理能力等を考慮して定めておくことができる。
【００８４】
また、図４に示す回答端末１００は、モーションセンサ１０１、端末コード入力部１０２、端末コード保存部１０３および送信部１０４における情報処理を補助するための短期情報記憶装置であるランダムアクセスメモリ１１０がそれぞれ設けられていると共に、回答端末１００における情報処理を統合して制御するためのマイクロプロセッサ１１１が設けられている。このように設けることにより、回答端末１００は質問者１（図１参照）がおこなった質問に対して回答者２（図１、図２参照）がおこなった回答動作をモーションセンサ１０１により第一の方向（例えば、上下方向または水平方向）と、（第一の方向とは異なる）第二の方向（例えば、水平方向または上下方向）とを区別して検出した検出結果として出力し、回答端末１００を個別に特定して識別することができる端末コードを端末コード入力部１０２を通じて入力して端末コード１０３に保存しておくと共に、送信部１０４が有する送信時刻遅延部１０４Ａにより所定の遅延時間により生じる時間差を有して、モーションセンサ１０１が回答者２による回答動作を検出した検出結果と端末コード保存部１０３が保存する端末コードとを結び付けて、送信部１０４により回答集計システム１０（図１、図３参照）に送信することができる。このため、回答者２は、回答者２と質問者１とが時間と空間とを共有して直接的に質疑応答をおこなう場合に、本実施の形態に係る回答端末１００を用いて好適に質問者１がおこなった質問に対して回答をおこなうことができる。
【００８５】
また、図４に示す回答端末１００は、受信部１０５と再生部１０６とをさらに備えている。本実施の形態において、回答端末１００は、回答者２（図１、図２参照）と質問者１（図１参照）とが時間と空間とを共有して直接的に質疑応答をおこなう場合に用いることができるほか、回答端末１００は、回答者２と質問者１とが時間を共有する一方で、回答者２が質問者１と空間的に遠隔して質疑応答をおこなう場合にも、本実施の形態に係る回答端末１００を用いて好適に質問者１がおこなった質問に対して回答をおこなうことができるように設けられている。回答端末１００は、多数の回答者２が回答をおこなう場所とは遠隔した他の場所から質問をおこなう一の質問者１により提供される質問を含む情報を回答端末１００が備える受信部１０５により受信すると共に、受信した質問を含む情報を回答端末１００が備える再生部１０６により再生することができるように設けられている。
【００８６】
図４に示す回答端末１００が備える受信部１０５は、インターネット等の情報通信回線網を介して情報通信をおこなうことができる情報通信装置として設けることができる。例えば、受信部１０５は、回答集計システム１０（図１、図３参照）が備える送信部（不図示）と情報通信をおこなうことにより質問を含む情報を受信して得ることができるように設けられる。また、受信部１０５は、テレビ・チューナーまたはラジオ・チューナー等を有して、テレビ、ラジオ等の放送用の電波を介して質問を含む情報を受信することができるように設けるものとして、放送により送信される質問を含む情報を受信することができるように設けるものとしてもよい。
【００８７】
また、図４に示す回答端末１００が備える再生部１０６は、受信部１０５が受信した質問を含む情報を再生して回答者２（図１、図２参照）に提示することができる再生装置である。再生部１０６は液晶表示画面（不図示）と空気伝導スピーカー（不図示）とを有し、質問者１（図１参照）によりおこなわれた質問を含む情報（例えば、質問者１が質問をおこなう様子を録音および録画した情報）を映像と音声とにより回答者２に示すことができるように設けられている。また、再生部１０６は、メモリーカード等の任意の情報記録媒体に記録された質問者１がおこなった質問を含む情報を再生部１０６により再生して回答者２に提示することができるように設けるものとしてもよい。なお、再生部１０６が有する液晶表示画面（不図示）に代えて、プラズマ表示画面を有するものとして視認性を高めるものとしてもよいし、有機エレクトロルミネッセンス表示画面を有するものとして液晶表示画面では必要なバックライトを廃止してさらなる軽量化をおこなうものとしてもよい。また、再生部１０６は骨伝導スピーカを有するものとして回答者２が質問を含む情報を再生して視聴する際にも周囲の音を聞くことができるように設けるものとしてもよい。
【００８８】
このように設けることにより、図４に示す本実施の形態の回答端末１００および回答集計システム１０（図１、図３参照）は、回答者２（図１、図２参照）と質問者１（図１参照）とが時間と空間とを共有して直接的に質疑応答をおこなう場合のほか、回答者２と質問者１とが時間を共有する一方で、回答者２が質問者１と空間的に遠隔して質疑応答をおこなう場合にも、好適に質疑応答をおこなうことができるように設けられている。
【００８９】
続いて、図５に示す本発明による第２の実施の形態に係る回答端末１００Ａは、上述の本発明による第１の実施の形態に係る回答端末１００（図４参照）が備える構成に加えてクロック１０７を備えている。図５に示す回答端末１００Ａが備えるクロック１０７は、再生部１０６により再生される質問者１（図１参照）が実時間において質問を含む情報を提示した情報提示の進行時間における時系列において、モーションセンサ１０１が回答者２（図１、図２参照）の回答動作を検出した検出時刻を出力するように構成されている。クロック１０７により出力された検出時刻は、モーションセンサ１０１が検出した検出結果と端末コード保存部１０３が保存する端末コードとに結び付けられて送信部１０４により回答集計システム１０（図１、図３参照）に送信される。これは、質問者１と回答者２とが時間的に遠隔して質疑応答をおこなう場合にも、質問者１が実時間において質問を含む情報を提示した情報提示の進行時間における時系列において回答者２が回答をおこなったタイミングを回答集計システム１０が正確に把握することができるようにするための構成である。
【００９０】
図５に示すクロック１０７は、質問者１（図１参照）が実時間において質問を含む情報を提示した情報提示の進行時間に沿って時刻を出力するように設けられている。質問を含む情報は、再生部１０６により再生されて回答者２（図１、図２参照）に提示されるが、回答者２が再生部１０６を任意の再生操作により操作して、例えば、質問を含む情報の再生速度を早送りして再生する場合も存在する。この場合には回答者２が実時間において回答をおこなうタイミングは、実時間において質問者１が質問を含む情報を提示した情報提示の進行時間とは時間差を有するタイミングにおいてなされることとなってしまう。クロック１０７は質問者１が実際に質問を含む情報を提示した情報提示の進行時間に沿って検出時刻を出力することで、質問者１が質問をおこなったタイミングと回答者２が回答をおこなったタイミングとを同期して把握することを可能とする。例えば、回答者２が再生部１０６を操作して早送り再生をおこなった場合には、クロック１０７が出力することとなる時刻も質問を含む情報の提示の進行時間と共に早送りされて質問者１が質問をおこなったタイミングと回答者２が回答をおこなったタイミングとの同期が保たれるように設けられている。
【００９１】
図５に示す送信部１０４により回答集計システム１０（図１、図３参照）に送信されたクロック１０７が出力した検出時刻は、回答集計システム１０が備えるグループ化部１２（図３参照）がおこなう上述の質問者１（図１参照）がおこなった同一の質問に対する回答（検出結果、端末コード）を一群にまとめるためのグループ化において用いられる。グループ化部１２は、質問者１と回答者２とが時間的に遠隔して質疑応答をおこなう場合には、上述の質問者１と回答者２とが直接的に質疑応答をおこなう場合において回答（検出結果、端末コード）のグループ化をおこなうための基準とされる時刻である回答集計システム１０が備える受信部１１（図３参照）が検出結果を受信した時刻（受信時刻）に代えて、クロック１０７が出力した検出時刻を用いて、（質問者１がおこなった同一の質問に対する）回答（検出結果、検出時刻、端末コード）のグループ化をおこなうように設けられている。
【００９２】
図５に示す本実施の形態の回答端末１００Ａと回答集計システム１０（図１、図３参照）とをこのように設けることにより、質問者１（図１参照）が質問をおこなった時点以降の時間差を有する任意の時点において、時間的に質問者１と遠隔する回答者２（図１、図２参照）が質問を含む情報を受信部１０５により受信して質疑応答をおこなう場合にも支障なく質疑応答をおこなうことができる。一例を挙げれば、回答者２は質問者１と時間的に遠隔してインターネット等の情報通信回線網を介したストリーミング配信等を利用して質問者１がおこなった質問を含む情報を受信部１０５により随時受信して再生部１０６により再生することができる。この場合にも、回答者２はクロック１０７が質問者１が実時間において質問をおこなった情報提示の進行時間と同期して適切に検出時刻を出力することができるように設けられている。このため、回答者２は、早送り、巻き戻し等の再生操作を自由におこなって質問を含む情報を再生して回答をおこなうことができる。
【００９３】
さらに具体的な一例を挙げれば、図５に示す本実施の形態の回答端末１００Ａと回答集計システム１０（図１、図３参照）とを用いることにより、例えば、質問者１（図１参照）としての遠隔教育番組の講師は、回答者２（図１、図２参照）としての遠隔教育番組の受講者の理解度を的確に把握することができる。例えば、遠隔教育番組の講師は、遠隔教育番組の受講者に対して「講義内容は理解できていますか？」とのより全般的な質問をおこなうことができる。また、講師は、受講者に「“よく理解できた”、“興味深い内容だ”と思った時に回答端末１００Ａを上下方向に振ってください」、「“分からない”、“難しい”と思った時に回答端末１００Ａを左右方向に振ってください」との取り決めを定めて遠隔教育番組内で伝えることができる。これに対して受講者は、回答端末１００Ａが備えるクロック１０７が出力する上述の検出時刻により遠隔教育番組内の特定の内容を随時捉えて受講者の理解度について講師に回答することができる。
【００９４】
図５に示す回答端末１００Ａを用いて回答者２（図１、図２参照）としての遠隔教育番組の受講者がおこなった回答は、クロック１０７が出力した検出時刻に基づいて、回答集計システム１０（図１、図３）により集計分析結果に組み込まれて出力される。このため、集計分析結果を把握した質問者１である遠隔教育番組の講師は、遠隔教育番組の受講者の理解度を詳細に把握することができる。また、把握した多数の受講者の理解度に基づいて、次回の遠隔教育番組においては、前回の遠隔教育番組で多くの受講者が理解できなかったと回答した点について、より分かり易い補足説明を付け加えることができる。また、前回の遠隔教育番組で多くの受講者が興味を持った内容を次回の遠隔教育番組の主なテーマとして取り上げることができる。なお、必要であれば、講師は、受講者の遠隔教育番組内容についての理解度を端末コードにより受講者を個別に特定して把握することもできる。
【００９５】
続いて図６に示す本発明による第３の実施の形態に係る回答端末１００Ｂは、上述の本発明による第２の実施の形態に係る回答端末１００Ａ（図５参照）が備える構成に加えて、さらに情報保存部１０８および検出結果保存部１０９を備えている。図６に示す回答端末１００Ｂが備える情報保存部１０８は、受信部１０５により受信した質問を含む情報を保存することができるように設けられている。例えば、回答者２（図１、図２参照）は受信部１０５によりインターネット等の情報通信回線網を介して回答集計システム１０が備える送信部（不図示）から質問を含む情報をダウンロードして情報保存部１０８に保存しておくことができる。また、図６に示す検出結果保存部１０９は、モーションセンサ１０１が回答者の回答動作を検出した検出結果とクロック１０７により出力された検出時刻とを結び付けて保存することができるように設けられている。また、図６に示す回答端末１００Ｂが備える送信部１０４は、回答者２がおこなう送信部１０４の手動操作に従って検出結果保存部１０９が保存する検出結果および検出時刻と、端末コード保存部１０３が保存する端末コードとを結び付けて回答集計システム１０（図１、図３参照）に随時送信することができるように設けられている。
【００９６】
図６に示す情報保存部１０８を用いることで、回答者２（図１、図２参照）は受信部１０５により受信した質問を含む情報を情報保存部１０８に保存しておくことができる。また、回答者２は、再生部１０６を用いて情報保存部１０８に記録された質問を含む情報を随時再生して質問に対する回答をおこうことができる。また、検出結果保存部１０９は、モーションセンサ１０１が出力する検出結果とクロック１０７が出力する検出時刻とを自動的に保存しておくことができる。また、回答者２は送信部１０４を手動操作することにより検出結果保存部１０９に保存された検出結果と検出時刻と端末コードとを結び付けて回答集計システム１０（図１、図３参照）に随時送信することができる。このため、回答者２は時間と場所とに制限されることなく質問者１（図１参照）がおこなった質問に対して回答することができる。
【００９７】
続いて、図７に一の質問者１（図１参照）と多数の回答者２（図１、図２参照）とが時間と空間とを共有して直接的に質疑応答をおこなう場合において、本発明による第１の実施の形態の回答端末１００（図１、図２、図４参照）を用いて回答者２が質問者１がおこなった質問に対して回答する方法をフローチャートにより示す。図７に示す本実施の形態に係る方法は、回答端末１００が備える端末コード入力部１０２（図４参照）に回答端末１００を特定する端末コードを入力するステップ（ＳＴＰ０１）を備える。このため、多数の回答端末１００が存在する場合にも混同することがなく個別に回答端末１００を特定して識別することができる。
【００９８】
また、図７に示すように、質問に応じて回答端末１００（図１、図２、図４参照）を保持した回答者２（図１、図２参照）が回答端末１００を第一の方向（例えば、上下方向または水平方向）又は（第一の方向とは異なる）第二の方向（例えば、水平方向または上下方向）に振る回答動作をするステップ（ＳＴＰ０２）を備える。このため、回答者２は第一の方向（例えば、上下方向）に回答端末１００を振る回答動作（例えば、肯定的な回答を意味する）または第二の方向（例えば、水平方向）に回答端末１００を振る回答動作（例えば、否定的な回答を意味する）をおこなうことにより質問に対する回答をおこなうことができる。
【００９９】
また、図７に示すように、回答動作を回答端末１００（図１、図２、図４参照）が備えるモーションセンサ１０１（図４参照）であって、回答動作を第一の方向（例えば、上下方向または水平方向）と、（第一の方向とは異なる）第二の方向（例えば、水平方向または上下方向）とを区別して検出した検出結果として出力するモーションセンサ１０１により検出するステップ（ＳＴＰ０３）を備える。このため、モーションセンサ１０１は回答者２（図１、図２参照）がおこなう第一の方向（例えば、上下方向）に回答端末１００を振る回答動作（例えば、肯定的な回答を意味する）と第二の方向（例えば、水平方向）に回答端末１００を振る回答動作（例えば、否定的な回答を意味する）とを区別して検出することができる。
【０１００】
また、図７に示すように、モーションセンサ１０１（図４参照）が検出した検出結果と端末コードとを結び付けて回答端末１００（図１、図２、図４参照）が備える送信部１０４（図４参照）により回答集計システム１０（図１、図３参照）に送信するステップ（ＳＴＰ０４）を備える。このため、回答集計システム１０は、回答者２（図１、図２参照）による回答内容と回答者２を特定する情報とを得ることができる。
【０１０１】
また、図７に示すように、送信部１０４（図４参照）により回答集計システム１０（図１、図３参照）に送信するステップ（ＳＴＰ０４）は、送信部１０４が有する送信時刻遅延部１０４Ａ（図４参照）により送信のタイミングをモーションセンサ１０１（図４参照）が回答動作を検出した時刻から所定の遅延時間だけずらすステップ（ＳＴＰ０４Ａ）を有する。このため、回答者２（図１、図２参照）として、例えば、数百人あるいは数千人が参加する講演会等であっても、多数の回答端末１００（図１、図２、図４参照）による送信のタイミングを分散させて回答端末１００と回答集計システム１０との間における情報通信渋滞を緩和することができる。
【０１０２】
図７に示す方法によれば、回答者２（図１、図２参照）は、回答者２と質問者１（図１参照）とが時間と空間とを共有して直接的に質疑応答をおこなう場合に、本発明による回答端末１００（図１、図２、図４参照）を用いて好適に質問者１がおこなった質問に対する回答をおこなうことができる。
【０１０３】
続いて、図８に一の質問者１（図１参照）と多数の回答者２（図１、図２参照）とが時間的に遠隔して質疑応答をおこなう場合において、本発明による第３の実施の形態の回答端末１００Ｂ（図６参照）を用いて回答者２が質問者１がおこなった質問に対して回答する方法をフローチャートにより示す。図８に示す本実施の形態に係る方法は、回答端末１００Ｂが備える端末コード入力部１０２（図６参照）に回答端末１００Ｂを特定する端末コードを入力するステップ（ＳＴＰ０１）を備える。このため、多数の回答端末１００Ｂが存在する場合にも混同することがなく個別に回答端末１００Ｂを特定して識別することができる。
【０１０４】
また、図８に示すように、端末コード入力部１０２（図４参照）で入力された端末コードを回答端末１００Ｂ（図６参照）が備える端末コード保存部１０３（図６参照）に保存するステップ（ＳＴＰ１１）を備える。このため、回答端末１００Ｂは回答端末１００Ｂを個別に識別して特定することができる端末コード保存部１０３に保存された端末コードを随時利用することができる。
【０１０５】
また、図８に示すように、質問を含む情報を回答端末１００Ｂ（図６参照）が備える受信部１０５（図６参照）により受信するステップ（ＳＴＰ１２）を備える。このため、回答端末１００Ｂは、質問を含む情報をインターネット等の情報通信回線網を介した情報通信をおこなうことにより得ることができる。
【０１０６】
また、図８に示すように、受信した質問を含む情報を回答端末１００Ｂ（図６参照）が備える情報保存部１０８（図６参照）に保存するステップ（ＳＴＰ１３）を備える。このため、回答者２（図１、図２参照）は質問を含む情報を情報保存部１０８に保存して利用することができる。
【０１０７】
また、図８に示すように、情報保存部１０８（図６参照）に保存するステップ（ＳＴＰ１３）で保存された質問を含む情報を回答端末１００Ｂ（図６参照）が備える再生部１０６（図６参照）により再生して回答者２（図１、図２参照）に提示するステップ（ＳＴＰ１４）を備える。このため、回答者２は、再生部１０６により質問を含む情報を随時再生して視聴することができる。
【０１０８】
また、図８に示すように、質問に応じて回答端末１００Ｂ（図６参照）を保持した回答者２（図１、図２参照）が回答端末１００Ｂを第一の方向（例えば、上下方向または水平方向）又は（第一の方向とは異なる）第二の方向（例えば、水平方向または上下方向）に振る回答動作をするステップ（ＳＴＰ０２）を備える。このため、回答者２は第一の方向（例えば、上下方向）に回答端末１００Ｂを振る回答動作（例えば、肯定的な回答を意味する）または第二の方向（例えば、水平方向）に回答端末１００Ｂを振る回答動作（例えば、否定的な回答を意味する）をおこなうことにより質問に対する回答をおこなうことができる。
【０１０９】
また、図８に示すように、回答動作を回答端末１００Ｂ（図６参照）が備えるモーションセンサ１０１（図６参照）であって、回答動作を第一の方向（例えば、上下方向または水平方向）と、（第一の方向とは異なる）第二の方向（例えば、水平方向または上下方向）とを区別して検出した検出結果として出力するモーションセンサ１０１により検出するステップ（ＳＴＰ０３）を備える。このため、モーションセンサ１０１は回答者２（図１、図２参照）がおこなう第一の方向（例えば、上下方向）に回答端末１００Ｂを振る回答動作（例えば、肯定的な回答を意味する）と第二の方向（例えば、水平方向）に回答端末１００Ｂを振る回答動作（例えば、否定的な回答を意味する）とを区別して検出することができる。
【０１１０】
また、図８に示すように、再生部１０６（図６参照）により再生される質問を含む情報提示の進行時間における時系列において、モーションセンサ１０１（図６参照）が回答者２（図１、図２参照）の回答動作を検出した検出時刻を、回答端末１００Ｂが備えるクロック１０７（図６参照）により出力するステップ（ＳＴＰ１５）を備える。このため、回答者２が回答動作をおこなった時刻を質問者１（図１参照）が実時間においておこなった質問を含む情報の提示の進行時間に合わせてクロック１０７により検出時刻として出力することができる。
【０１１１】
また、図８に示すように、モーションセンサ１０１（図６参照）が検出した検出結果と、クロック１０７（図６参照）により検出時刻を出力するステップ（ＳＴＰ１５）で出力された検出時刻とを結び付けて回答端末１００Ｂ（図６参照）が備える検出結果保存部１０９（図６参照）により保存するステップ（ＳＴＰ１６）を備える。このため、回答者２（図１、図２参照）は検出結果保存部１０９（図６参照）により保存された検出結果と検出時刻とを回答集計システム１０（図１、図３参照）に随時送信することができる。
【０１１２】
また、図８に示すように、検出結果保存部１０９（図６参照）により保存するステップ（ＳＴＰ１６）で保存された検出結果と検出時刻とを端末コード保存部１０３（図６参照）に保存された端末コードと結び付けて回答端末１００Ｂ（図６参照）が備える送信部１０４（図６参照）により回答集計システム１０（図１、図３参照）に送信するステップ（ＳＴＰ０４）を備える。このため、回答集計システム１０は、回答者２（図１、図２参照）による回答内容と回答者２を特定する情報とを得ることができる。
【０１１３】
図８に示す方法によれば、回答者２（図１、図２参照）は、回答者２と質問者１（図１参照）とが時間的に遠隔して質疑応答をおこなう場合にも、質問を含む情報を随時再生して質問に対する回答をおこなうことができると共に、質問者１がおこなった質問に対する回答者２による回答の内容を示す検出結果と検出時刻と端末コードとを回答集計システム１０（図１、図３参照）に随時送信することができる。また、回答集計システム１０は、回答者２が回答動作をおこなったタイミングを質問者１が実時間において質問を含む情報の提示をおこなった情報提示の進行時間に照らしたタイミングとして把握することができる。
【０１１４】
［端末コード入力］
続いて、図９に本発明による第３の実施の形態に係る回答集計システム１０（図１、図３参照）と回答端末１００Ｂ（図６参照）との間においておこなわれる情報通信の例を示す。本発明による第３の実施の形態において、図９に示す回答端末１００Ｂを個別に特定して識別することができる端末コードは、一の質問者１（図１参照）から多数の回答者２（図１、図２参照）に対して、例えば、学術発表会、講演会の会場への入場整理番号と同一の文字列として個別に直接発行されるものとしてもよい。あるいは、一の質問者１が予め、多数の回答者２が回答のために使用する多数の回答端末１００Ｂに端末コードを入力し、端末コードが入力された回答端末１００Ｂを個々の回答者２に配布するものとしてもよい。あるいは、回答者２が回答端末１００Ｂを操作してインターネット等の情報通信回線網を介して回答集計システム１０と情報通信をおこない、回答集計システム１０より個々の回答者２が操作する個々の回答端末１００に対して固有の端末コードの発行を受けるものとしてもよい。回答端末１００Ｂに入力された端末コードは回答端末１００Ｂが備える端末コード保存部１０３（図６参照）に保存されて利用される。
【０１１５】
［質問］
また、図９に示す質問者１（図１参照）がおこなう質問は、一の質問者１と多数の回答者２（図１、図２参照）とが時間と空間とを共有して直接的に質疑応答をおこなう場合には、質問者１から回答者２へと直接口頭により伝達されるものとしてもよい。一方、質問者１と回答者２とが時間的または空間的に遠隔して質疑応答を行う場合には、放送またはインターネット等の情報通信回線網を介して回答集計システム１０（図１、図３参照）から回答端末１００Ｂ（図６参照）に質問を含む情報の送信がなされ、回答端末１００Ｂにより質問を含む情報が受信されるものとしてもよい。なお、回答端末１００Ｂにより受信された質問を含む情報は、情報保存部１０８（図６参照）に保存される。回答者２は情報保存部１０８に保存された質問を含む情報を随時再生して回答をおこなうことができる。
【０１１６】
［回答］
また、図９に示す回答者２（図１、図２参照）がおこなう回答は、回答者２が片手で把持する回答端末１００Ｂ（図６参照）を第一の方向（例えば、上下方向または水平方向）又は（第一の方向とは異なる）第二の方向（例えば、水平方向または上下方向）に向けて振る回答動作を回答端末１００Ｂが備えるモーションセンサ１０１（図６参照）により検出した検出結果として出力される。また、モーションセンサ１０１が回答動作を検出した時刻は、回答端末１００Ｂが備えるクロック１０７（図６参照）により質問者１（図１参照）が実時間において質問を含む情報の提示をおこなった情報提示の進行時間における時系列に対する検出時刻として出力される。なお、モーションセンサ１０１により出力された検出結果およびクロック１０７により出力された検出時刻は検出結果保存部１０９（図６参照）に保存される。回答者２は検出結果保存部１０９に保存された検出結果および検出時刻の情報を随時回答集計システム１０（図１、図３参照）に送信することができる。
【０１１７】
［送信−受信］
また、図９に示すように、回答端末１００Ｂ（図６参照）が備える検出結果保存部１０９（図６参照）に保存された検出結果および検出時刻の情報は、回答端末１００Ｂが備える端末コード保存部１０３（図６参照）により保存された端末コードと結び付けられて回答端末１００Ｂから回答集計システム１０（図１、図３参照）に回答者２（図１、図２参照）の手動操作に従って随時送信される。回答端末１００Ｂと回答集計システム１０とは直接に無線通信をおこなって情報通信をおこなうものとしてもよいし、インターネット等の情報通信回線網を介して情報通信をおこなうものとしてもよい。回答集計システム１０は、回答端末１００Ｂにより送信された検出結果と検出時刻と端末コードとを受信すると共に、それらの情報を受信した受信時刻を出力して結果保存部１５（図３参照）に保存することができる。
【０１１８】
［識別・表示］
また、図９に示すように、回答集計システム１０（図１、図３参照）は回答端末１００Ｂ（図６参照）より受信した検出結果から回答者２（図１、図２参照）が回答端末１００Ｂを第一の方向（例えば、上下方向または水平方向）に向けて振る回答動作をおこなったか、あるいは回答端末１００Ｂを（第一の方向とは異なる）第二の方向（例えば、水平方向または上下方向）に向けて振る回答動作おこなったかを区別して識別する識別結果を出力する。次に、回答集計システム１０は、質問者１（図１参照）がおこなった質問に対して回答した全ての回答者２がおこなった回答動作について出力された識別結果を集計および分析した集計分析結果を出力する。また、回答集計システム１０は、出力された集計分析結果を質問者１に表示して提示する。
【０１１９】
さらに、図９に示す回答集計システム１０（図１、図３参照）により出力された集計分析結果は、回答集計システム１０が備える情報公開部（不図示）により、所定の公開基準に基づいて回答者２（図１、図２参照）に対して公開することができるように設けられものとするとよい。このように設けることにより、集計分析結果をインターネット等の情報通信回線網を通じて回答者２に対して公開することができることから、集計分析結果を参照することにより、質疑応答をおこなった回答者２はさらに質疑応答のテーマについて考察および検証を深めることができる。なお、回答集計システム１０が備える情報公開部による情報公開では、集計分析結果について自由に情報を書き込むことができる掲示板機能等を持たせて情報公開をおこなうことにより、本発明の実施の形態による回答端末１００Ｂ（図６参照）および回答集計システム１０を用いておこなわれた質疑応答をきっかけとして、質問者１（図１参照）と回答者２との間でさらに有意義な質疑応答がおこなわれることを期待することもできる。
【産業上の利用可能性】
【０１２０】
本発明による回答端末、回答集計システムおよび回答端末を用いて質問に対して回答する方法は、学術発表会、講演会、大学における講義、ビジネス・プレゼンテーション、研修会、会議等のパブリック・スピーキングの場における一の質問者と多数の回答者との間でおこなわれる質疑応答に用いることができるほか、演奏会、コンサート、映画館、テレビ番組、スポーツイベント等の多数の観客が集まる場におけるアンケート等にも用いることができる。また、博物館、飲食店、ツアー旅行等における顧客満足度等を調査する目的のアンケート等にも用いることができる。このほか、インターネット等の情報通信回線網を介した映像、音楽コンテンツ用の評価アンケート等にも用いることができる。
【符号の説明】
【０１２１】
１  質問者
２  回答者
１０  回答集計システム
１１  受信部
１２  グループ化部
１３  回答動作識別部
１４  識別結果集計分析部
１４Ａ  回答動作集計部
１４Ｂ  強弱判定部
１４Ｃ  動作回数カウント部
１４Ｄ  軌跡判定部
１５  結果保存部
１６  表示事項選択部
１７  表示部
１８  ランダムアクセスメモリ（ＲＡＭ）
１９  中央演算装置（ＣＰＵ）
１００／１００Ａ／１００Ｂ  回答端末
１０１  モーションセンサ
１０２  端末コード入力部
１０３  端末コード保存部
１０４  送信部
１０４Ａ  送信時刻遅延部
１０５  受信部
１０６  再生部
１０７  クロック
１０８  情報保存部
１０９  検出結果保存部
１１０  ランダムアクセスメモリ（ＲＡＭ）
１１１  マイクロプロセッサ（ＭＰＵ）
【図１】
0005604253.tif 000002
【図２】
0005604253.tif 000003
【図３】
0005604253.tif 000004
【図４】
0005604253.tif 000005
【図５】
0005604253.tif 000006
【図６】
0005604253.tif 000007
【図７】
0005604253.tif 000008
【図８】
0005604253.tif 000009
【図９】
0005604253.tif 000010